(57)【要約】【課題】糸と環状具の連結部分に装着することで、糸に接続される部材や道具を水上から操作した際の部材や道具の回収率を向上させることができる根掛かり防止装置を提供する。【解決手段】糸１０と環状具３０の連結部分が根掛かりするのを防止するための根掛かり防止装置２８ａであって、Ｃ字型に湾曲したアタッチメント部材２と、このアタッチメント部材２の長手方向における両端２ｄ，２ｄ近傍においてアタッチメント部材２の厚み部分を貫通する第１及び第２の貫通孔３ａ，３ｂとを有することを特徴とする根掛かり防止装置２８ａによる。【選択図】  図２
2009171950.tif 000002
【特許請求の範囲】
【請求項１】
糸と環状具の連結部分が根掛かりするのを防止するための根掛かり防止装置であって、
前記根掛かり防止装置は、Ｃ字型に湾曲したアタッチメント部材と、前記アタッチメント部材の長手方向における両端近傍において前記アタッチメント部材の厚み部分を貫通する第１及び第２の貫通孔とを有することを特徴とする根掛かり防止装置。
【請求項２】
前記アタッチメント部材を側面視した場合に、前記第１及び前記第２の貫通孔は、その中心線が略同一線上に配置されることを特徴とする請求項１に記載の根掛かり防止装置。
【請求項３】
前記アタッチメント部材の長手方向における両端のうち、前記糸が引き上げられる側に配置される側の端部は、前記アタッチメント部材の前記両端を除く胴部よりも太径の厚肉部を備えることを特徴とする請求項１又は請求項２に記載の根掛かり防止装置。
【請求項４】
前記アタッチメント部材は、その胴部の厚み部分を貫通する長孔を備えることを特徴とする請求項１乃至請求項３のいずれか１項に記載の根掛かり防止装置。
【請求項５】
前記第１の貫通孔は、前記第１の貫通孔と前記アタッチメント部材の側面とを結ぶ第１のスリットを備えることを特徴とする請求項１乃至請求項４のいずれか１項に記載の根掛かり防止装置。
【請求項６】
前記第１及び第２の貫通孔は、前記第１,第２の貫通孔のそれぞれと前記アタッチメント部材の側面とを結ぶ第１,第２のスリットを備えることを特徴とする請求項１乃至請求項４のいずれか１項に記載の根掛かり防止装置。
【請求項７】
前記第１のスリットは、前記アタッチメント部材の長手方向と平行に形成されることを特徴とする請求項５又は請求項６に記載の根掛かり防止装置。
【請求項８】
前記アタッチメント部材は、長手方向両端の間隙を狭める方向に弾性収縮することを特徴とする請求項１乃至請求項７のいずれか１項に記載の根掛かり防止装置。
【請求項９】
請求項１乃至請求項８のいずれか１項に記載の根掛かり防止装置の湾曲内側に、環状具及びそれに緊縛される第１の糸の結び目、又は、環状具を備えた部材及び前記環状具に緊縛される第１の糸の結び目、を収容し、
前記第１の貫通孔に、前記第１の糸を挿通し、
前記第２の貫通孔に、前記環状具に緊縛される第２の糸、又は、前記環状具に連設される棒状の前記部材、又は、前記部材に直接又は間接的に緊縛される第２の糸、を挿通することを特徴とする糸と環状具の連結構造。
【請求項１０】
請求項１乃至請求項８のいずれか１項に記載の根掛かり防止装置に形成される第１及び第２の貫通孔に糸を挿通し、
前記第２の貫通孔から導出される前記糸に、環状具、又は、環状具を備えた部材、を接続することを特徴とする糸と環状具の連結構造。
【請求項１１】
前記根掛かり防止装置の第１及び第２の貫通孔を結ぶ中心線を基準とした場合に、前記根掛かり防止装置の重心位置は、前記中心線から前記アタッチメント部材の湾曲部分側には存在せず、前記中心線から前記アタッチメント部材の両端部側に存在することを特徴とする請求項９又は請求項１０に記載の糸と環状具の連結構造。
【請求項１２】
糸と環状具の連結部分が根掛かりするのを防止するための根掛かり防止装置であって、
前記根掛かり防止装置は、Ｃ字型に湾曲したアタッチメント部材と、前記アタッチメント部材の長手方向における一の端部側に前記アタッチメント部材の厚み部分を貫通するように形成される貫通孔と、前記アタッチメント部材の他の端部に設けられる疑似餌とを有し、
前記疑似餌の前記アタッチメント部材側に配置される端部は環状具を備えることを特徴とする根掛かり防止装置。
【請求項１３】
糸と環状具の連結部分が根掛かりするのを防止するための根掛かり防止装置であって、
前記根掛かり防止装置は、その長手方向における断面がＤ字型を成すアタッチメント部材と、前記アタッチメント部材の長手方向における一の端部近傍から他の端部近傍に向って形成される貫通孔とを有することを特徴とする根掛かり防止装置。 
【発明の詳細な説明】
【技術分野】
【０００１】
本発明は糸と環状具、又は、糸と環状具を備えた部材が海底の岩場に根掛かりするのを防止することができる根掛かり防止装置及びそれを用いた糸と環状具の連結構造に関する。
【０００２】
一般に、釣りを行う際に釣糸の先に連結される仕掛には、オモリ付の釣り用テンビン類、アミカゴ類、ブラクリ、ルアー等があり、これらの仕掛けは釣糸の緊縛を容易にするための環状具を備えている。
また、船を港や目的とする場所に係留するための錨にもロープを緊縛するための環状具が形成されている。
このような環状具に糸（本願明細書において糸は、紐、綱、ロープのすべて含むものとする。）が連結された物体を岩等の障害物のある水中に投入して水面側に引き上げると、水中の障害物の隙間に糸の結び目や環状具自体が入り込んでしまい、糸につながれた物体（仕掛け、錨等）を引き上げることができないという不具合（根掛かり）が頻繁に生じていた。
このように根掛かりが生じてしまった場合、糸を切断する以外に根掛かりを解除する方法はなく、海底や湖底、川底には多量のゴミが遺棄され続けている。
【０００３】
このように、釣りの最中に根掛かりが生じて仕掛けが回収できなくなるということは、すなわち、釣りをする際に用いる仕掛を大量に購入する必要が生じて不経済であるという課題を有するのみならず、大量の仕掛けが海底に放置されることを意味しており、環境への悪影響が懸念されていた。
特に、釣り用のオモリとして多用される鉛は生体に有害であり、食料としての水産資源の重要性が高まる中で、魚類等の水産資源の重金属による汚染は特に憂慮すべき問題である。
また、錨等の大型の物体までもが海底等に遺棄され続けており、食料としての水産資源の重要性が見直される中、水生生物の生育環境を破壊するような行為が繰り返されることは望ましくない。
このような課題に対処する目的で、釣りに用いられる仕掛けの根掛かりを防止するための発明や考案がいくつか開示されている。
【０００４】
特許文献１には「投げ釣り用緩衝板」という名称で、岩石の多い釣り場において投げ釣りする際に、根掛かりにより仕掛が切断されてしまうのを防止するための器具に関する発明が開示されている。
特許文献１に記載の発明は、適宜の厚さで、柔軟にして軽量かつ弾力性にすぐれた長小判形若しくは、長方形に形成した合成樹脂製、又はゴム製の板状体において、該板状体の長手方向中央両端寄りの対称位置に、道糸、縒り戻しの挿通可能な丸穴が穿設され、この丸穴から内側中心方向へ適宜長さの切り込みが形成されたことを特徴とするものである。
上記構成の発明によれば、道糸の巻上げ時に、道糸が岩礁の狭い岩石と岩石の間に挟まった際に、特許文献１に係る緩衝板が岩石と錘との間で湾曲して弓なりの半月状態になり、その後、釣竿のしゃくり動作に応じて（釣竿をあおった際に）、弓なりになった緩衝板の反発力によって錘等の仕掛けを岩間から外すことができる。すなわち、根掛かりを解除することができるという効果が発揮される。
この結果、特許文献２に係る緩衝板の後方に連結される仕掛けの回収率を高めることができるという効果を有する。
【０００５】
また、特許文献２には「根がかりを解す釣の仕掛け」という名称で、岩場の隙間等において根掛かりを防止するための仕掛に関する考案が開示されている。
特許文献２に記載の考案は、一方の端部に膨部が形成されたマッチ棒状の棒状体にコイルバネ及び略球形の重錘が装着されものであり、棒状体の膨部側に釣針が、その対向する側には猿環を介し釣糸が連結されたものである。
上記構成の考案によれば、錘が球形に形成されることで、錘自体が岩間に挟まるのを防止することができると同時に、万一錘が岩間に根掛かりした場合には、錘を介して棒状体に梃子の原理により作用する力とコイルバネの反発力により特許文献２に係る仕掛けの根がかりを解除することができるという効果を有する。
この結果、釣をする際に、錘を備える仕掛けの回収率を高めることができるという効果を有する。
【０００６】
さらに、特許文献３には「釣糸の仕掛け」という名称で、釣糸に連結した錘が根掛かりした際に、錘のみを分離させることができる仕掛に関する発明が開示されている。
特許文献３に記載の発明は、適当な硬質プラスチック製のリングと、ステンレス製の割ピンからなり、リングの直径方向にはリングを貫通する孔が２組形成され、上記貫通孔の一方には釣糸が挿通され、もう一方には割ピンが着脱可能に挿着されるものである。
そして、上述のような特許文献３に記載の発明は、リングを貫通する貫通孔の一方に予め釣糸を挿通しておき、この釣糸の錘を取り付ようとする位置の近傍に割ピンを緊縛し、割ピンの胴部にループを備えた錘を掛着させてリングに割ピンを挿設した状態で使用する。
そして、釣の最中に錘が岩の隙間等に根掛かりした際に、釣竿をあおって釣糸を引っ張ると、リングに挿設された割ピンが抜けて仕掛けから錘のみが分離し、根掛かりを解除することができる。
このような特許文献２に開示される発明によれば、釣の最中に仕掛けが根がかりを起こした場合に、錘以外の仕掛けを回収することができるという効果を有する。
【０００７】
【特許文献１】特開２０００−３００１３２号公報
【特許文献２】実開昭５２−９６７９４号公報
【特許文献２】特開昭５７−５４５４４号公報
【発明の開示】
【発明が解決しようとする課題】
【０００８】
しかしながら、上述の特許文献１に開示される緩衝板は平板状であるため、釣りの最中に緩衝板自体が岩場の隙間に入り込んで挟まってしまう可能性が高く根掛かり解除機能を十分に発揮できない可能性が高かった。
【０００９】
特許文献２に記載の仕掛においては、釣糸と仕掛けの接続部分である猿環の環状具が海底の岩間に引っ掛かってしまった場合、コイルバネの弾性力が発揮されず、仕掛けの根がかりを解除することができない可能性があった。
【００１０】
さらに、特許文献３に記載の発明においては、根掛かりした仕掛けの回収率を高めることができると考えられるものの、海底に放置された場合に環境に特に悪影響を及ぼすと考えられる鉛製の錘が回収されないので、問題の根本的な解決につながり難いという課題があった。
また、割りピンのヘッドは環状具であり、一旦根掛かりが解除された後、今度はヘッドと糸の結び目が岩間に入り込んで再び根掛かりが生じてしまう恐れもあり、やはり問題の根本的な解決につながり難いという課題を有していた。
【課題を解決するための手段】
【００１１】
本発明は係る従来の事情に対処してなされたものであり、糸と環状具の連結部分に装着することで、糸に接続される部材や道具を水上から操作した際の部材や道具の回収率を向上させることができる根掛かり防止装置及びそれを用いた糸と環状具の連結構造を提供することにある。
【００１２】
上記目的を達成するため、請求項１記載の発明である根掛かり防止装置は、糸と環状具の連結部分が根掛かりするのを防止するための根掛かり防止装置であって、この根掛かり防止装置は、Ｃ字型に湾曲したアタッチメント部材と、アタッチメント部材の長手方向における両端近傍においてアタッチメント部材の厚み部分を貫通する第１及び第２の貫通孔とを有することを特徴とするものである。
上記構成の発明において、アタッチメント部材が第１又は第２の貫通孔に挿通される糸よりも十分に大きな幅を有し、かつ、Ｃ字形に湾曲していることで、アタッチメント部材が立体的な体積を有する塊として挙動し、それ自体が水中の障害物の隙間に入り込むのを妨げるという作用を有する。
また、アタッチメント部材に形成される第１,第２の貫通孔は糸を挿通させるという作用を有する。
そして、アタッチメント部材における湾曲内側のスペースは、糸と環状具の連結構造を収容し、糸と環状具の連結構造が水中において障害物の隙間に入り込むのを妨げるという作用を有する。
また、糸と環状具の連結部分における環状具の直前に、すなわち、糸と環状具の連結構造において糸が引き上げられる側にアタッチメント部材を配置することによっても、糸と環状具の連結構造が水中において障害物の隙間に入り込むのを妨げるという作用を有する。
【００１３】
請求項２に記載の発明である根掛かり防止装置は、請求項１に記載の根掛かり防止装置であって、アタッチメント部材を側面視した場合に、第１及び第２の貫通孔は、その中心線が略同一線上に配置されることを特徴とするものである。
上記構成の発明は、請求項１に記載の発明と同様の作用に加えて、第１及び第２の貫通孔をその中心線が略同一直線上に配置されるように形成することで、糸に引張力が作用した際に糸を自然な直線状にして糸の局所に過剰な負荷がかかるのを抑制するという作用を有する。
【００１４】
請求項３に記載の発明である根掛かり防止装置は、請求項１又は請求項２に記載の根掛かり防止装置であって、アタッチメント部材の長手方向における両端のうち、糸が引き上げられる側に配置される側の端部は、アタッチメント部材の両端を除く胴部よりも太径の厚肉部を備えることを特徴とするものである。
上記構成の発明は、請求項１又は請求項２に記載の発明と同じ作用に加え、厚肉部はアタッチメント部材の端部の表面積を広くするという作用を有する。
この結果、肉厚部を水中の障害物の表面に接触させた状態で糸に引張力を作用させた際に、障害物との接触部分を支点にしてアタッチメント部材を岩場の表面から引き離す方向に反転させるという作用を有する。
【００１５】
請求項４に記載の発明である根掛かり防止装置は、請求項１乃至請求項３のいずれか１項に記載の根掛かり防止装置であって、アタッチメント部材は、その胴部の厚み部分を貫通する長孔を備えることを特徴とするものである。
上記構成の発明は、請求項１乃至請求項３のそれぞれに記載される発明と同じ作用に加え、長孔は、その内部に環状具、又は、環状具を備えた部材の少なくとも一部を収容するという作用を有する。
この結果、糸と環状具の連結構造、又は、環状具を備えた部材と糸の連結構造が水中の障害物の隙間に入り込むのを妨げるという作用を有する。
【００１６】
請求項５に記載の発明である根掛かり防止装置は、請求項１乃至請求項４のいずれか１項に記載の根掛かり防止装置であって、第１の貫通孔は、第１の貫通孔とアタッチメント部材の側面とを結ぶ第１のスリットを備えることを特徴とするものである。
上記構成の発明は、請求項１乃至請求項４に記載のそれぞれの発明と同じ作用に加え、第１のスリットは、アタッチメント部材の側面側から糸を第１の貫通孔内に挿通させるという作用を有する。
特に、第１のスリットが、アタッチメント部材において糸を引き上げる側の反対側の端部に形成される場合、環状具を備えた部材又は道具の一部が直線状の棒状体であるときに、この棒状体をアタッチメント部材の側面側から第１のスリットから第１の貫通孔内に挿入させるという作用を有する。
より具体的には、例えば、松葉サルカンの環状具と糸の結び目をアタッチメント部材の湾曲部に収容し、さらに、この松葉サルカンの環状具に回転可能に取付けられる軸をアタッチメント部材の側面側から第１のスリットを介して第１の貫通孔に進入させるという作用を有する。
【００１７】
請求項６に記載の発明である根掛かり防止装置は、請求項１乃至請求項４のいずれか１項に記載の根掛かり防止装置であって、第１及び第２の貫通孔は、第１,第２の貫通孔のそれぞれとアタッチメント部材の側面とを結ぶ第１,第２のスリットを備えることを特徴とするものである。
上記構成の発明は、請求項１乃至請求項４に記載のそれぞれの発明と同じ作用に加え、第１及び第２のスリットは、糸と環状具とを、又は、環状具を備えた部材と糸とを連結した後に、タッチメント部材を着脱可能に装着させるという作用を有する。
【００１８】
請求項７に記載の発明である根掛かり防止装置は、請求項５又は請求項６に記載の根掛かり防止装置であって、第１のスリットは、アタッチメント部材の長手方向と平行に形成されることを特徴とするものである。
上記構成の発明は、請求項５又は請求項６に記載される発明と同じ作用に加え、第１の貫通孔とアタッチメント部材の側面とを結ぶスリットをアタッチメント部材の長手方向と平行に形成することで、環状具に緊縛する糸の太さを細くした場合でも、第１のスリットから糸を外れ難くするという作用を有する。
【００１９】
請求項８に記載の発明である根掛かり防止装置は、請求項１乃至請求項７のいずれか１項に記載の根掛かり防止装置であって、アタッチメント部材は、長手方向両端の間隙を狭める方向に弾性収縮することを特徴とするものである。
上記構成の発明は、請求項１乃至請求項７に記載のそれぞれの発明に加えて、特に環状具を備える部材である、例えば、松葉サルカンに糸を連結してその連結部分にアタッチメント部材を装着した場合で、かつ、糸を水面側に引き上げる際にアタッチメント部材が水中の障害物に根掛かりした場合に、糸を水面側へ強く引くことで、アタッチメント部材を長手方向両端の間隙を狭める方向に弾性収縮させるという作用を有する。
そして、次に糸の引っ張りを弱めた瞬間に、弾性収縮したアタッチメント部材が弾性反発することで、アタッチメント部材を障害物から離間させるという作用を有する。
【００２０】
請求項９に記載の発明である糸と環状具の連結構造は、請求項１乃至請求項８のいずれか１項に記載の根掛かり防止装置の湾曲内側に、環状具及びそれに緊縛される第１の糸の結び目、又は、環状具を備えた部材及び環状具に緊縛される第１の糸の結び目、を収容し、第１の貫通孔に、第１の糸を挿通し、第２の貫通孔に、環状具に緊縛される第２の糸、又は、環状具に連設される棒状の部材、又は、部材に直接又は間接的に緊縛される第２の糸、を挿通することを特徴とするものである。
上記構成の発明において、第１の糸は、環状具、及び、環状具に緊縛される第２の糸につながれる他の部材を水面上から操作可能にするという作用を有する。
また環状具は、第１の糸と第２の糸、又は、第１の糸と環状具に連結される部材の連結を仲介すると同時に、第１及び第２の貫通孔、又は、第２の貫通孔の抜け止め（ストッパー）として作用する。
また、第２の糸は環状具と他の部材を連結するという作用を有する。
そして、請求項１乃至請求項８のいずれか１項に記載の根掛かり防止装置は、請求項１乃至請求項８のそれぞれに記載の根掛かり防止装置と同様の作用を有する。
この結果、請求項９記載の発明によれば、水面において第１の糸を操作した際に、環状具及びそれに緊縛される第１の糸の結び目、又は、環状具を備えた部材及び環状具に緊縛される第１の糸の結び目が水中の障害物の隙間に入り込むのを妨げるという作用を有する。
【００２１】
請求項１０に記載の発明である糸と環状具の連結構造は、請求項１乃至請求項８のいずれか１項に記載の根掛かり防止装置に形成される第１及び第２の貫通孔に糸を挿通し、第２の貫通孔から導出される糸に、環状具、又は、環状具を備えた部材、を接続することを特徴とするものである。
上記構成の発明において糸は、環状具、又は、環状具を備えた部材を水面上から操作可能にするという作用を有する。
また、環状具は、環状具に連結される糸と、やはり環状具に連結される他の糸又は部材の連結を仲介するという作用を有する。
そして、請求項１乃至請求項８のいずれか１項に記載の根掛かり防止装置は、請求項１乃至請求項８のそれぞれに記載の根掛かり防止装置と同様の作用を有する。
この結果、請求項１０記載の発明によれば、水面において糸を操作した際に、環状具及びそれに緊縛される糸の結び目、又は、環状具を備えた部材における環状具と糸の結び目が水中の障害物の隙間に入り込んで根掛かりを生じるのを妨げるという作用を有する。
【００２２】
請求項１１に記載の発明である糸と環状具の連結構造は、請求項９又は請求項１０に記載の糸と環状具の連結構造であって、根掛かり防止装置の第１及び第２の貫通孔を結ぶ中心線を基準とした場合に、根掛かり防止装置の重心位置は、中心線からアタッチメント部材の湾曲部分側には存在せず、中心線からアタッチメント部材の両端部側に存在することを特徴とするものである。
この請求項１１に記載の発明では、第１及び第２の貫通孔を結ぶ中心線を概念するものであるが、この場合、中心線は貫通孔の直径と同じ直径を有するものと概念され、根掛かり防止装置の重心は、前記中心線にかかることなくアタッチメント部材の両端部側に配置されるように構成されるものである。
上記構成の発明は、請求項９又は請求項１０に記載の発明と同じ作用に加えて、根掛かり防止装置を水中の障害物に、常にアタッチメント部材の端部を鉛直下方にむけた状態で接触させるという作用を有する。
そして、第１の糸、又は、糸を水面側に引き上げた際に、アタッチメント部材の端部を支点にしてアタッチメント部材を反転させるという作用を有する。
この結果、第１の糸、又は、糸に接続されるものを障害物の表面から引き離すように反転させるという作用を有する。
【００２３】
請求項１２に記載の発明である根掛かり防止装置は、糸と環状具の連結部分が根掛かりするのを防止するための根掛かり防止装置であって、この根掛かり防止装置は、Ｃ字型に湾曲したアタッチメント部材と、アタッチメント部材の長手方向における一の端部側にアタッチメント部材の厚み部分を貫通するように形成される貫通孔と、アタッチメント部材の他の端部に設けられる疑似餌とを有し、疑似餌のアタッチメント部材側に配置される端部は環状具を備えることを特徴とするものである。
上記構成の発明は、言い換えると、請求項１に記載の根掛かり防止装置における第２の貫通孔が形成される側の端部に疑似餌を取設し、さらに、第２の貫通孔を設ける代わりに、疑似餌のアタッチメント部材側に配置される端部に環状具を備えたものである。
上記構成の発明において、アタッチメント部材が厚みを有し、かつ、Ｃ字形に湾曲していることで、アタッチメント部材が水中の障害物の隙間に入り込むのを妨げるという作用を有する。
また、アタッチメント部材に形成される第１の貫通孔は糸を挿通させるという作用を有する。
さらに、アタッチメント部材の端部に設けられる疑似餌は、請求項１２に記載の根掛かり防止装置を釣具として用いた際に、魚をおびき寄せるという作用を有する。
そして、アタッチメント部材における湾曲内側のスペースは、糸と疑似餌の端部に設けられる環状具の連結部分を収容し、糸と環状具の連結部分が水中において障害物の隙間に入り込むのを妨げるという作用を有する。
【００２４】
請求項１３に記載の発明である根掛かり防止装置は、糸と環状具の連結部分が根掛かりするのを防止するための根掛かり防止装置であって、この根掛かり防止装置は、その長手方向における断面がＤ字型を成すアタッチメント部材と、アタッチメント部材の長手方向における一の端部近傍から他の端部近傍に向って形成される貫通孔とを有することを特徴とするものである。
上記構成の発明は、言い換えると、請求項１記載の発明におけるアタッチメント部材の湾曲内側の空間に、アタッチメント部材を構成する部材が充填されて第１の貫通孔と第２の貫通孔とがつながったものである。
このような請求項１３記載の発明においては、アタッチメント部材がその貫通孔に挿通される糸よりも十分に大きい幅を有し、かつ、その底面がＣ字形に湾曲していることで、アタッチメント部材が水中の障害物の隙間に入り込むのを妨げるという作用を有する。
また、アタッチメント部材に形成される貫通孔は糸を挿通させるという作用を有する。
この結果、糸と環状具の連結部分における環状具の直前に、すなわち、糸と環状具の連結構造において糸が引き上げられる側に請求項１３に係る根掛かり防止装置を配置することで、水中において糸と環状具の連結構造が障害物の隙間に入り込むのを妨げるという作用を有する。
【発明の効果】
【００２５】
以上説明したような請求項１に記載の根掛かり防止装置によれば、アタッチメント部材に十分な幅を持たせ、かつ、その形状をＣ字形に湾曲させることで、アタッチメント部材自体を水中の障害物の隙間に入り込み難くすることができる。
また、アタッチメント部材の長手方向の両端近傍に、第１,第２の貫通孔をそれぞれ設けることで、アタッチメント部材における湾曲内側の空間に環状具と糸の結び目を収容した状態で、アタッチメント部材を装着させることができるという効果を有する。
よって、糸と環状具の結び目を湾曲内側の空間に収容しながらアタッチメント部材を装着することで、水面上から糸を操作した際に、糸と環状具の連結部分が水中の障害物の隙間に入り込んで根掛かりを起こすのを防止することができるという効果を有する。
この結果、糸に連結される道具や部材、たとえば、釣り用の仕掛や船舶を係留するための錨等が、水中の障害物により根掛かりして糸が切断され、水中に遺棄されるのを防止することができるという効果を有する。
この結果、遺棄されたものにより海洋、湖沼、川（河）が汚染されるのを防止することができる。
【００２６】
請求項２に記載の発明は、請求項１に記載の発明と同じ効果に加え、第１の貫通孔と第２の貫通孔を一直線上に配置することで、その内部に挿通される糸の局所に過剰な力が作用するのを防止することができる。
この結果、糸に強い引張力が作用した際に、第１,第２の貫通孔の開口端において糸が切断されるのを抑制することができるという効果を有する。
よって、請求項２に記載の発明が万一根掛かりした場合に、糸を切れにくくすることができるという効果を有する。
【００２７】
請求項３に記載の発明は、請求項１又は請求項２に記載の発明と同じ効果に加え、アタッチメント部材において糸が引き上げられる側に配置される側の端部を肉厚にすることで、この端部の表面積を広くすることができるという効果を有する。
この結果、水上から糸を操作した際に、請求項３に記載の発明を水中の障害物の隙間に一層侵入し難くすることができるという効果を有する。
また、この厚肉部を備える端部の先端が水中の障害物（例えば、岩場）の表面に接触した際に、この接触部分を支点に請求項３記載の根掛かり防止装置を反転させて、岩場の表面から引き離すことができるという効果を有する。
この結果、水上から糸を操作することで、根掛かりを解除することができるという効果を有する。
この結果、糸に接続される道具や部材、例えば、釣り用の仕掛けや錨の回収率を一層向上させることができるという効果を有する。
【００２８】
請求項４に記載の発明は、請求項１乃至請求項３のそれぞれに記載の発明と同様の効果に加え、アタッチメント部材の胴部に長孔を備えることで、この長孔の内にも、糸に緊縛された環状具、又は、環状具を備えた部材又は道具の少なくとも一部を収容することができるという効果を有する。
この結果、アタッチメント部材の湾曲内側に収容することのできる環状具の大きさをより大きくすることができるという効果を有する。
すなわち、アタッチメント部材の湾曲内側に大きい環状具を収容した際に、この環状具が水中の障害物に掛着して根掛かりの原因となるのを抑制することができるという効果を有する。
【００２９】
請求項５に記載の発明は、請求項１乃至請求孔４に記載のそれぞれの発明と同様の効果を有する。
また、特に第１のスリットが、アタッチメント部材において糸が引き上げられる側の端部に形成された場合、糸と環状具の連結部分へのアタッチメント部材の装着を容易にすることができるという効果を有する。
また、特に第１のスリットがアタッチメント部材において糸が引き上げられる側の端部の反対側の端部に形成される場合、アタッチメント部材の湾曲内側に収容される環状具に接続される棒状の部材をこの第１のスリットから第１の貫通孔内に挿通させることができるという効果を有する。すなわち、アタッチメント部材の湾曲部に収容される環状具が、例えば、松葉サルカンに設けられる環状具である場合、その軸部（棒状体）を第１のスリットから第１の貫通孔に挿通させることができる。よって、松葉サルカンの環状具と糸の連結部分にアタッチメント部材を装着することができる。この結果、松葉サルカンの環状具が水中の障害物の隙間において根掛かりするのを防止することができるという効果を有する。
【００３０】
請求項６に記載の発明は、請求項１乃至請求項４に記載のそれぞれの発明と同様の効果に加え、第１,第２の貫通孔のそれぞれが第１,第２のスリットを備えることで、環状具に糸を緊縛した後に、アタッチメント部材を着脱可能に装着させることができるという効果を有する。
この結果、請求項６に記載の根掛かり防止装置の装着を簡易にすることができるという効果を有する。
【００３１】
請求項７に記載の発明は、請求項５又は請求項６に記載の発明と同じ効果に加え、糸と環状具の連結部分にアタッチメント部材を装着した際に、糸が引き上げられる側のアタッチメント部材の端部側に形成される第１のスリットをアタッチメント部材の長手方向と平行に形成することで、第１の貫通孔に挿通される糸が細い場合でも、糸が第１のスリットから外れるのを防止することができるという効果を有する。
この結果、糸が細い場合でも根掛かり防止効果を発揮させることができるという効果を有する。
【００３２】
請求項８に記載の発明は、請求項１乃至請求項７に記載のそれぞれの発明と同様の効果に加え、アタッチメント部材に外力が加えられてアタッチメント部材が弾性収縮すると、アタッチメント部材は弾性反発する。
この結果、請求項８に記載の根掛かり防止装置が万一根掛かりした場合に、その根掛かりを糸の引張力を利用して解除させることができるという効果を有する。
従って、請求項８に記載の発明は、まず、アタッチメント部材の形状によりその根掛かりを防止し、次に、アタッチメント部材の弾性により万一根掛かりした場合にその解除を可能にすることができるという効果を有する。
【００３３】
請求項９及び請求項１０に記載の発明は、いずれも請求項１乃至請求項８のそれぞれに記載の根掛かり防止装置を備えたものであり、請求項１乃至請求項８のそれぞれに記載の発明と同様の効果を有する。
この結果、水上から環状具に直接又は間接的に接続される道具や部材を操作した際に、その回収率を高めることができるという効果を有する。
【００３４】
請求項１１に記載の発明は、請求項９又は請求項１０に記載の発明と同じ効果を有する。さらに、特に請求項１１に記載の発明では、水中の障害物の表面から環状具に直接又は間接的に接続される道具や部材を引き離すように反転させることができるので、これらの回収率を一層高めることができるという効果を有する。
【００３５】
請求項１２に記載の発明によれば、疑似餌の端部に設けられる環状具と糸の結び目が水中の障害物の隙間に入り込んで根掛かりが起こるのを防止することができる。
この結果、請求項１２に記載の発明の回収率を高めることができるという効果を有する。
【００３６】
請求項１３に記載の根掛かり防止装置によれば、アタッチメント部材に十分な幅を持たせ、かつ、その底面側をＣ字形に湾曲させることで、アタッチメント部材自体を水中の障害物の隙間に入り込み難くすることができる。
このため、糸と環状具の結び目の直前に請求項１３に係る根掛かり防止装置を配置することで、糸と環状具の連結部分が水中の障害物の隙間に入り込んで根掛かりを起こすのを防止することができるという効果を有する。
この結果、糸に連結される道具や部材、たとえば、釣り用の仕掛や船舶を係留するための錨等が、水中の障害物により根掛かりして糸が切断され、水中に遺棄されるのを防止することができるという効果を有する。
他方、請求項１３に記載の根掛かり防止装置のアタッチメント部材を、比重の重い鉛やタングステン等の金属で構成した場合、それ自体がオモリとしても機能するので、特に釣具の分野においては、根掛かり防止装置とオモリを一体化して兼用することができるという効果も有する。
従って、請求項１３に記載の発明によれば、海洋、湖沼、川（河）に遺棄される道具や部材の量を削減することができるので、海洋、湖沼、川（河）の汚染の進行を遅くすることができる。
【発明を実施するための最良の形態】
【００３７】
本発明の最良の実施の形態に係る根掛かり防止装置及びそれを用いた糸と環状具の連結構造について図１乃至図２０を参照しながら詳細に説明する。
【００３８】
はじめに、従来公知の技術に係る糸と環状具の連結構造について図２１，２２を参照しながら詳細に説明する。
図２１は釣糸と仕掛けの連結部分が根掛かりしている様子を示す概念図である。なお、図２１では糸と環状具の連結構造の一例として、釣糸である糸１０と環状具を備えた部材（道具）であるヨリモドシ２６の連結構造を示している。
図２１に示すように、通常、釣りで糸１０に釣り用テンビン１６を連結するときは、糸１０の端部に糸１０の捩れを解除するためのヨリモドシ２６を接続し、このヨリモドシ２６に接続具１５を介して釣り用テンビン１６を接続するのが一般的な方法である。
このように、糸１０の端部にヨリモドシ２６を介して釣り用テンビン１６を連結した状態で釣りをすると、海底の岩場２０の隙間に、環状具２７に緊縛される糸１０の結び目２１が挟まることで根掛かりが起こっていた。
そして、この状態で糸１０の延長線上に設けられる図示しない釣竿をあおると、糸１０には糸１０を斜め上方向に引き上げるような引張力が生じ、この引張力が海底の岩間に挟まっている糸１０の結び目２１部分を強く引っ張る力Ｐとして作用していた。
また、通常釣りの場合、ヨリモドシ２６の環状具２７は金属製であるのに対し、糸１０は合成樹脂製である。このため、結び目２１に過剰な負荷がかかると、糸１０は結び目２１の近傍で切断されてしまっていた。
この結果、ヨリモドシ２６及びそれに接続される仕掛けである釣り用テンビン１６や錘１７、さらには釣糸１８に接続される鉤１９までもが海底に遺棄されてしまっていた。
【００３９】
ここで、図２１に示すようなヨリモドシ２６に代えて、松葉サルカン５を介して糸１０と釣り用テンビン１６とを連結した場合について、図２２を参照しながら説明する。
図２２は釣糸と仕掛けの連結部分が根掛かりしている様子を示す概念図である。なお、図２１に記載されたものと同一部分については同一符号を付し、その構成についての説明は省略する。
図２２は、本発明に係る根掛かり防止装置を用いることなく糸１０と仕掛けである釣り用テンビン１６を松葉サルカン５介して連結した場合を示している。  図２２に示すように、糸１０に松葉サルカン５を介して直接又は間接的に仕掛を連結した状態で釣りをすると、海底の岩場２０の隙間に、環状具６に緊縛される糸１０の結び目２１が挟まることで根掛かりが起こってしまう。
そして、この状態で糸１０の延長線上に設けられる図示しない釣竿をあおると、糸１０には糸１０を斜め上方向に引き上げるような引張力が生じ、この引張力は海底の岩間に挟まっている糸１０の結び目２１部分を強く引っ張る力Ｐとして作用する。
そして、松葉サルカン５の環状具６が金属製であるのに対し、糸１０は合成樹脂製であるため、糸１０がやはり結び目２１の近傍で切断されてしまうのである。
【００４０】
そこで発明者は、鋭意研究の結果、図２１に示す環状具２７や、図２２に示す環状具６及び、この環状具２７や環状具６に緊縛される糸１０の結び目２１が、海底の岩場２０の隙間に入り込まないようにすることで、糸１０に接続される部材又は道具の回収率を飛躍的に向上させることを見出した。
【実施例１】
【００４１】
実施例１に係る根掛かり防止装置及びそれを用いた糸と環状具の連結構造について図１を参照しながら詳細に説明する。（特に請求項１，請求項９，請求項１０に対応。）
図１（ａ）は本発明の実施例１に係る根掛かり防止装置の平面図である。（ｂ）,（ｃ）は図１（ａ）中のＡ5−Ａ5線矢視断面に釣糸と環状具を加えて示す概念図である。（ｄ）は図１（ａ）中のＢ5−Ｂ5線矢視断面図である。また、図２，３はいずれも本発明の実施例１に係る糸と環状具の連結構造を示す斜視図である。
図１（ａ）〜（ｃ）に示すように、実施例１に係る根掛かり防止装置２８ａは、Ｃ字形（略Ｃ字形の概念も含む。）に湾曲したアタッチメント部材２の長手方向の端部２ｄ近傍に、アタッチメント部材２の厚み部分を貫通する第１の貫通孔３ａ及び第２の貫通孔３ｂがそれぞれ形成されたものである。
【００４２】
また、実施例１に係る糸と環状具の連結構造２９ａ1は、図１（ｂ）及び図２に示すように、実施例１に係る根掛かり防止装置２８ａの外側から第１の貫通孔３ａに釣糸１０を挿通して環状具３０に緊縛し、さらに、この環状具３０に連結糸１１を緊縛してこの連結糸１１の端部をアタッチメント部材２の第２の貫通孔３ｂから外部に導出し、第２の貫通孔３ｂから導出された連結糸１１の端部に図示しない道具又は部材（例えば釣具等）を接続したものである。
なお、図１（ｂ）に示す糸と環状具の連結構造２９ａ1において、第１の貫通孔３ａから導出される糸１０を操作することで環状具３０に直接又は間接的に接続される道具又は部材を水中において操作可能にしている。
【００４３】
また、実施例１に係る糸と環状具の連結構造２９ａ1の他の例は、図１（ｃ）及び図３に示すように、実施例１に係る根掛かり防止装置２８ａの側面２ｂ側から糸１０を第１，第２の貫通孔３ａ，３ｂの順に挿通して、第２の貫通孔３ｂからアタッチメント部材２の外側に導出された糸１０の端部に環状具３０を緊縛し、さらに、この環状具３０に、直接、又は、図３に示すような連結糸１１を介して、道具又は部材を接続したものである。
なお、図１（ｃ）に示す糸と環状具の連結構造２９ａ2においても第１の貫通孔３ａから根掛かり防止装置２８ａの外に導出される糸１０を操作することで環状具３０に直接又は間接的に接続される道具又は部材を水中において操作可能にしている。
【００４４】
図１（ｂ），（ｃ）においては、糸１０と連結糸１１を環状具３０を介して連結した場合を例に挙げて説明しているが、特に  図１（ｂ）の場合、環状具３０に代えてよりもどし部材である、例えば、サルカン等を介して連結してもよい。
また、特に図１（ｃ）の場合、環状具３０及び連結糸１１に代えて環状具を備えた道具又は部材を糸１０の先端に取り付けてもよい。
なお、環状具を備えた道具又は部材の具体例としては、おもり、テンビン、遊動テンビン、ルアー、錨等があり、いずれも本発明に係る糸と環状具の連結構造２９ａ1，２９ａ2に使用可能である。このことは、以下に示す他の実施例においても同様である。
【００４５】
上述のような実施例１に記載の根掛かり防止装置２８ａにおいては、図２に示すように、糸１０と環状具３０の連結部分を囲うように装着されるアタッチメント部材２が、Ｃ字形に湾曲し、かつ、幅と厚みを有する形状を有するため、アタッチメント部材２自体を水中の障害物の隙間に侵入し難くすることができる。
このため、糸１０を引き上げた際に、水中でアタッチメント部材２の湾曲内側、すなわち、図１（ａ）〜（ｃ）に示すアタッチメント部材２の上面２ａの側に収容される糸１０の結び目１０ａや、環状具３０が障害物である、例えば岩の隙間に侵入して根掛かりを起すのを防止することができる。
つまり、図１（ｂ）及び図２に示すような糸と環状具の連結構造２９ａ1によれば、糸１０と環状具３０の結び目が根掛かりするのを防止することで、糸１０に直接又は間接的に接続される部材又は道具の回収率を高めることができる。
この場合、特にアタッチメント部材２の幅（後述の図６中における符号Ｑを参照。）を、より詳細には、糸１０が引き上げられる側に配置されるアタッチメント部材２の端部２ｄの幅Ｑを、第１の貫通孔３ａ又は第２の貫通孔３ｂの直径の少なくとも３倍以上に設定することで、第１の貫通孔３ａに挿通される糸１０の幅（直径）よりもアタッチメント部材２の幅を十分に大きくすることができるので、糸１０と環状具３０の結び目を水中の障害物の隙間に侵入し難くするという効果を確実に発揮させることができる。
なお、アタッチメント部材２の幅を、第１の貫通孔３ａ又は第２の貫通孔３ｂの直径の３倍よりも大きく設定しても、根掛かり防止効果が大幅に向上するわけではない。しかも、後述のようにアタッチメント部材２の弾性力を利用する場合、アタッチメント部材２の幅を大きくするにつれてその変形性が低下する上、実施例１に係る根掛かり防止装置２８ａを製造するための材料費もかさんでしまう。このため、アタッチメント部材２の幅は必要以上に大きくする必要はない。
逆に、アタッチメント部材２の幅が、第１の貫通孔３ａ又は第２の貫通孔３ｂの直径の３倍よりも小さいと、アタッチメント部材２の幅を、第１の貫通孔３ａに挿通される糸１０の幅（直径）よりも十分に大きくできない可能性があるだけでなく、加工性が低下する上、製品とした場合に十分な強度が得られず望ましくない。
つまり、実施例１に記載の発明においては、アタッチメント部材２の幅を糸１０の幅（直径）に対して必要かつ十分な大きさにし、かつ、Ｃ字形（略Ｃ字形の概念も含む。）に湾曲させることで、幅と厚みを有する塊状の物体があたかも装着されているかのように挙動させることができ、その結果、糸１０と環状具３０の結び目が水中の障害物の隙間に侵入するのを妨げることができるのである。
また、環状具３０の直径を第１，第２の貫通孔３ａ，３ｂの内径よりも大きく設定しておくことで、環状具３０がアタッチメント部材２に対してストッパーとして機能するので、水面から糸１０を操作して環状具３０に直接又は間接的に接続される道具又は部材を操作する際に、根掛かり防止装置２８ａが任意の場所に移動してしまうのを防止することができる。すなわち、根掛かり防止装置２８ａの根掛かり防止効果を確実に発揮させることができるのである。
【００４６】
また、図１（ｃ）に示すような糸と環状具の連結構造２９ａ2の場合も、根掛かり防止装置２８ａ自体が水中で障害物の隙間に入り込みにくいので、根掛かり防止装置２８ａに直列状に配置される環状具３０や、第２の貫通孔３ｂから導出される糸１０に接続される部材又は道具の接続部分が根掛かりするのを防止することができる。
この場合も、環状具３０の直径を第２の貫通孔３ｂの直径よりも大きく設定しておくことで、環状具３０がアタッチメント部材２に対してストッパーとして機能するので、糸１０を引き上げた際にアタッチメント部材２は常に環状具３０の直前に配置されることになる。この結果、糸１０と環状具３０の連結部分の根掛かり防止効果を確実に発揮させることができる。
【００４７】
また、図１（ａ），（ｄ）に示すように、実施例１に係る根掛かり防止装置２８ａを構成するアタッチメント部材２の側面２ｂ，底面２ｃ，端部２ｄを連続したなだらかな曲面状にしてもよい。
このような形状にすることで、根掛かり防止装置２８ａが水中で岩場等の障害物に一層引っ掛かり難くすることができるという効果を有する。
なお、アタッチメント部材２は、合成樹脂製であっても金属製であってもよく、特に釣り具に装着する場合、アタッチメント部材２を例えば鉛やタングステン等の比重の大きい金属で構成することで、根掛かり防止装置２８ａ自体をおもりとしても使用することができるという効果を有する。
この場合、実施例１に係る根掛かり防止装置２８ａがおもりとしても作用するので、別途おもりを設置する必要がない。このため、釣りに使用する仕掛の数を少なくできると同時に、根掛かりによって水中に遺棄される仕掛を少なくすることができるという効果も有する。
なお、図１（ｃ）に示すような糸と環状具の連結構造２９ａ2の場合、アタッチメント部材２の比重が水又は海水に比べて大幅に小さいと、浮力が働いてアタッチメント部材２が糸１０上を遊動して環状具３０から離れてしまい、根掛かり防止機能が十分に発揮されないこともある。このため、アタッチメント部材２を図１（ｃ）に示すような糸と環状具の連結構造２９ａ2として用いる場合、根掛かり防止装置２８ａによる根掛かり防止効果を一層確実に発揮させるために、アタッチメント部材２に浮力が作用しても自重で環状具３０の近傍に移動するような比重が大きいものでアタッチメント部材２を構成するか、あるいは、アタッチメント部材２の湾曲内側に糸１０を挿通させながらオモリを取り付けて水中におけるアタッチメント部材２の遊動を抑制しておくことが望ましい。前者の場合、例えば、鉛やタングステン等の金属がアタッチメント部材２の材質として適している。以下に示す他の実施例においても同様である。
【００４８】
さらに、実施例１に係る根掛かり防止装置２８ａのアタッチメント部材２を、例えば合成樹脂で形成し、アタッチメント部材２に外力が作用した場合にアタッチメント部材２の両端部２ｄ，２ｄが互いに近づくように弾性収縮するよう構成することで、根掛かり防止装置２８ａが万一根掛かりを起した場合に、アタッチメント部材２を弾性反発させて根掛かりを解除することができる。なお、この詳細な機構については後述する。
また、アタッチメント部材２の形状を表現する「Ｃ字形」は「略Ｃ字形」の概念も含むものである。以下に示す他の実施例においても同様である。
【実施例２】
【００４９】
図４を参照しながら本発明の実施例２に係る根掛かり防止装置及び糸と環状具の連結構造について詳細に説明する。（特に請求項５，請求項７，請求項９，請求項１０に対応。）
図４は本発明の実施例２に係る根掛かり防止装置の平面図である。なお、図１乃至図３に記載されたものと同一部分については同一符号を付し、その構成についての説明は省略する。
図４に示すように、実施例２に係る根掛かり防止装置２８ｂは、上述の実施例１に係る根掛かり防止装置２８ａと同じ構成に加えて、アタッチメント部材２は第１の貫通孔３ａとアタッチメント部材２の側面２ｂとを結ぶスリット４ａを備えたものである。
このように、実施例２に係るアタッチメント部材２にスリット４ａを形成することで、図示しない糸１０と環状具３０の連結部分に、根掛かり防止装置２８ｂを容易に装着することができるという効果を有する。
より具体的には、図２に示すように環状具３０をアタッチメント部材２の上面２ａ側に収容した状態で根掛かり防止装置２８ｂを装着する場合に、糸１０を環状具３０に緊縛してからスリット４ａを利用して糸１０を第１の貫通孔３ａに挿通させることができるという効果を有する。
さらに、スリット４ａをアタッチメント部材２の長手方向と平行（略平行の概念も含む。）に形成し、かつ、スリット４ａの形成位置を糸１０が引き上げられる側とすることで、根掛かり防止装置２８ａから糸１０を外れ難くすることができるという効果を有する。
なお、特に図示しないが、糸１０と環状具３０の連結部分に根掛かり防止装置２８ｂを装着したものが、実施例２に係る糸と環状具の連結構造である。
すなわち、実施例２に係る糸と環状具の連結構造は、図１（ｂ）又は図２において示される糸と環状具の連結構造２９ａ1に代えて実施例２に係る根掛かり防止装置２８ｂを装着したもの、あるいは、図１（ｃ）又は図３において示される糸と環状具の連結構造２９ａ2に代えて実施例２に係る根掛かり防止装置２８ｂを装着したものである。
【００５０】
従って実施例２に係る根掛かり防止装置２８ｂによれば、実施例１に記載の根掛かり防止装置２８ａと同じ作用・効果に加え、糸１０と環状具３０の連結部分への装着が容易で、しかも、スリット４ａから糸１０が外れ難くすることができる。
そして、実施例２に係る糸と環状具の連結構造（図示せず）は、実施例１に係る根掛かり防止装置２８ａと同様の作用・効果に加えて、糸１０に直接又は間接的に設けられる部材又は道具が根掛かりするのを防止することができるという効果を有する。
また、実施例２に係る糸と環状具の連結構造（図示せず）は、例えば、環状具３０又は環状具３０を備えた道具又は部材、あるいは、松葉サルカン等のヨリモドシ具に設けられる環状具の直前に根掛かり防止装置２８ｂを装着したものでもよい。
この場合も、糸１０に直接又は間接的に接続される部材又は道具の根掛かりを防止して、その回収率を向上させることができるという効果を有する。
【００５１】
なお、以下に示す他の実施例において「糸と環状具の連結構造」とは、特に図示しない場合でも、環状具３０、又は、環状具３０を備えた道具又は部材、又は、松葉サルカン等のヨリモドシ具に設けられる環状具の直前にぞれぞれの実施例にかかる根掛かり防止装置を装着したものを含むものとする。
いずれの場合も、糸１０に直接又は間接的に接続される部材又は道具の根掛かりを防止して、その回収率を向上させることができるという効果を有する。
また、本願明細書において、環状具と記載する場合、完全に閉じた形状として形成される環状体以外にも、たとえば、部材や道具の端部や側面に突状に形成されたループ状の掛着具や、例えば、クリップやナス環フックのように環状部に開閉可能な切れ目を有するものも環状具の概念に含むものとする。
【実施例３】
【００５２】
図５を参照しながら本発明の実施例３に係る根掛かり防止装置及び糸と環状具の連結構造について詳細に説明する。（特に請求項５、請求項９，請求項１０に対応。）
図５（ａ）は本発明の実施例３に係る根掛かり防止装置の平面図である。（ｂ）はその側面図である。（ｃ）は図５（ａ）中のＡ6−Ａ6線矢視断面に釣糸と松葉サルカンを加えて示す概念図である。なお、図１乃至図４に記載されたものと同一部分については同一符号を付し、その構成についての説明は省略する。
図５（ａ）に示すように、実施例３に係る根掛かり防止装置２８ｃは、上述の実施例１に係る根掛かり防止装置２８ａと同じ構成に加えて、アタッチメント部材２は第２の貫通孔３ｂとアタッチメント部材２の側面２ｂとを結ぶスリット４ｂを備えたものである。
この場合も、上述の実施例２と同様に、図示しない糸１０と環状具３０の連結部分に、根掛かり防止装置２８ｃの装着を容易にすることができるという効果を有する。
【００５３】
また、特に実施例３に係る根掛かり防止装置２８ｃにおいては、スリット４ｂをアタッチメント部材２において第２の貫通孔３ｂが穿設される側に形成することで、すなわち、糸１０が引き上げられる側と反対側のアタッチメント部材２の端部２ｄにスリット４ｂを形成することで、図５（ｂ），（ｃ）に示すように環状具６が棒状の軸７を備える場合に、この軸７をスリット４ｂから第２の貫通孔３ｂ内に挿通させることができるという効果を有する。
従って、軸７を備えた環状具６と糸１０との連結部分にアタッチメント部材２に形成される第２の貫通孔３ｂ内に軸７を装着させながら設置することができるという効果を有する。
この結果、軸７を備えた環状具６の根掛かりを防止することができるという効果を有する。
より具体的には、特に実施例３に係る根掛かり防止装置２８ｃによれば、例えば、図５（ｂ），（ｃ）に示すような、松葉サルカン５と、糸１０との連結部分に、根掛かり防止装置２８ｃを装着することができ、松葉サルカン５と糸１０の連結部分が根掛かりするのを防止することができるという効果を有する。松葉サルカン５は、環状をなしその環の一部に台座６ａを有する環状具６と、この台座６ａに掛着端８を有する軸７が枢設され、及び、軸７の掛着端８を有さない側の端部に形成される環状体９により構成されるものである。
【００５４】
なお、スリット４ｂは第２の貫通孔３ｂとアタッチメント部材２の側面２ｂを結ぶように形成されるものであれば必ずしも図示される位置に形成される必要はなく、例えば、アタッチメント部材２の端部２ｄの頂部と第２の貫通孔３ｂを結ぶように、すなわち、アタッチメント部材２の長手方向と平行（略平行の概念も含む）に形成されてもよい。
また、アタッチメント部材２を例えば合成樹脂等の弾性変形可能な材質で構成する場合、スリット４ｂを外力により押し広げることが可能となるので、図５（ｂ）に示すように軸７の太さよりもスリット４ｂの隙間を狭くしてもよい。
そして、図５（ｂ），（ｃ）に示すように、軸７を備えた環状具６と糸１０との連結部分に、実施例３に係る根掛かり防止装置２８ｃを装着したものが実施例３に係る糸と環状具の連結構造２９ｃであり、このような糸と環状具の連結構造２９ｃは、上述の実施例２に係る糸と環状具の連結構造２９ｂと同じ効果を有する。
【実施例４】
【００５５】
実施例４に係る根掛かり防止装置及びそれを用いた糸と環状具の連結構造について図６を参照しながら詳細に説明する。（特に請求項２，請求項９，請求項１０に対応。）
図６（ａ）は本発明の実施例４に係る根掛かり防止装置の平面図である。（ｂ）はその側面図である。（ｃ）は図６（ａ）中のＡ1−Ａ1線矢視断面に釣糸と松葉サルカンを加えた概念図である。（ｄ）は図６（ａ）中のＢ1−Ｂ1線矢視断面図である。
図６（ａ），（ｂ）に示すように実施例４に係る根掛かり防止装置１ａは、上述の実施例１に記載の根掛かり防止装置２８ａと同じ構成に加えて、第１の貫通孔３ａ，第２の貫通孔３ｂのそれぞれとアタッチメント部材２の側面２ｂとを結ぶスリット４ａ，４ｂを有するものである。
また、図６（ｃ）に示すように、実施例４に係る根掛かり防止装置１ａを用いた糸と環状具の連結構造１２ａは、環状具６と糸１０の連結部分に、上述のような根掛かり防止装置１ａが装着されたものである。
なお、図６（ｃ）では、環状具６と糸１０の連結部分の一例として、糸１０と連結糸１１の間に実施例４において示した松葉サルカン５を介設し、この松葉サルカン５の環状具６と糸１０の連結部分をアタッチメント部材２の上面２ａ側に収容した場合を例に挙げて説明しているが、糸１０と連結糸１１の間に介設されるのは上述の図１〜３に示すような環状具３０でもよいし、あるいは、環状具を備えた部材又は道具でもよい。
【００５６】
実施例４に係る糸と環状具の連結構造１２ａは、より具体的には、例えば、糸１０と松葉サルカン５の連結部分に実施例４に係る根掛かり防止装置１ａが装着されたものであり、松葉サルカン５の構成は、実施例３と同様である。
また、環状具６に結び目２１を形成しながら糸１０が緊縛され、環状体９に直接又は間接的に連結糸１１が接続されることで糸１０と連結糸１１とが連結されている。
そして、実施例４に係る根掛かり防止装置１ａが、上述のような糸１０と連結糸１１の接続部分における環状具６及び糸１０の結び目２１を、アタッチメント部材２の湾曲内側に、すなわち、アタッチメント部材２の上面２ａ側に収容しながら装着されたものである。
このとき、環状具６に緊縛される糸１０は、根掛かり防止装置１ａの第１の貫通孔３ａに挿通され、松葉サルカン５の軸７は、第２の貫通孔３ｂに挿通されており、第１，第２の貫通孔３ａ，３ｂのそれぞれに対して松葉サルカン５の環状具６が抜け止め用のストッパーとして機能している。
また、第１の貫通孔３ａと第２の貫通孔３ｂのそれぞれとアタッチメント部材２の側面２ｂとを結ぶスリット４ａ，４ｂを設けることで、松葉サルカン５に糸１０と連結糸１１をそれぞれ接続した後で、実施例４に係る根掛かり防止装置１ａを糸１０と連結糸１１の連結部分に装着することが可能であり、さらに、根掛かり防止装置１ａを一旦装着した後で糸１０や連結糸１１を切断したりすることなく根掛かり防止装置１ａを取外すことも可能である。
よって、アタッチメント部材２にスリット４ａ，４ｂを設けることで、糸１０や連結糸１１を切断することなく実施例４に係る根掛かり防止装置１ａの着脱をすることができるという効果を有する。
【００５７】
また、図６（ｃ）に示すように、根掛かり防止装置１ａにおける第１の貫通孔３ａと、第２の貫通孔３ｂの中心線を略同一線上に配置することで、糸１０を引き上げた際に、糸１０と環状具６と連結糸１１とを、より具体的には、糸１０と松葉サルカン５と連結糸１１を、糸１０や連結糸１１への負荷が最も小さくなる一直線上（略一直線上の概念も含む。）に配置することができる。
この結果、糸１０と連結糸１１とを図示しない環状具３０を介して接続した糸と環状具の連結構造１２ａの場合、糸１０を引き上げた際に、第１の貫通孔３ａや第２の貫通孔３ｂの開口部において糸１０や連結糸１１が切断されるのを防止することができるという効果を有する。
また、図６（ｃ）に示すように、糸１０と連結糸１１の間に松葉サルカン５を介設した糸と環状具の連結構造１２ａにおいては、糸１０に生じる引張力を松葉サルカン５の環状体９にスムースに伝達することができるという効果を有する。
【００５８】
さらに、図６（ｄ）に示すように、実施例４に係る根掛かり防止装置１ａの厚み部分断面形状は、アタッチメント部材２の上面２ａに平坦面が形成される一方、アタッチメント部材２の側面２ｂと底面２ｃは連続して滑らかな曲面を形成している。すなわち、根掛かり防止装置１ａの厚み部分断面形状は、略かまぼこ状になっている。
加えて、図６（ａ）〜（ｃ）実施例４に係る根掛かり防止装置１ａの長手方向端部２ｄにも滑らかな曲面が形成されている。
このように、実施例４に係る根掛かり防止装置１ａにおいては、糸１０と環状具６の連結部分に装着して、例えば釣りをした場合に、アタッチメント部材２が海底の岩場に直接接触すると考えられる部位、すなわち、アタッチメント部材２の端部２ｄ及び側面２ｂ及び底面２ｃを滑らかな曲面状にしておくことで、アタッチメント部材２が例えば、海底の岩場の表面に接触した際にその上をスムースにスライド移動させることができるという効果が発揮される。
つまり、糸と環状具の連結構造１２ａを海底の岩場に接触させながらスライドさせた場合に、糸１０と連結糸１１の連結部分を根掛かりし難くすることができるという効果を有する。
この結果、例えば、釣りをする際に糸１０に接続される仕掛け（部材又は道具）の回収率を大幅に高めることができ、水中に遺棄される部材や道具の量を減らすことができるという効果を有する。
【００５９】
なお、図６には、スリット４ａ，４ｂがアタッチメント部材２の長手方向の側面の向って互い違いとなるように形成された場合を例に挙げて説明しているが、スリット４ａ，４ｂの両方をアタッチメント部材２の長手方向の側面のいずれかに向うよう形成してもよい。また、図６に示される本実施例とは逆にそれぞれスリット４ａ，４ｂが形成されるようにしてもよい。
あるいは、スリット４ａ，４ｂのいずれか一方、あるいは、その両方をアタッチメント部材２の長手方向両端の先端に向うよう形成しても良い。
つまり、スリット４ａ，４ｂは糸１０や松葉サルカン５の軸７を、第１の貫通孔３ａや第２の貫通孔３ｂに挿通させるためのものであり、この目的を達成できるのであればアタッチメント部材２のどこにスリット４ａ，４ｂを形成しても良い。
なお、以下に示す実施例５，６に係る根掛かり防止装置及びそれを用いた糸と環状具の連結構造においても同様である。
さらに、実施例４に係る根掛かり防止装置１ａは、その縮尺を適宜変更することで、例えば、環状具を備えた道具又は部材の具体例として錨やおもりを先に挙げたが、環状具に棒状体が連設された構造を有する錨の、環状具とロープの連結部分、又は、錨の直前に装着することも可能である。
この場合、錨の根掛かりを防止してその回収率を向上することができるという効果を有する。
【実施例５】
【００６０】
実施例５に係る根掛かり防止装置及びそれを用いた糸と環状具の連結構造について図７を参照しながら詳細に説明する。（特に請求項３，請求項９，請求項１０に対応。）
実施例５に係る根掛かり防止装置は、実施例４に係る根掛かり防止装置１ａとほぼ同じの構成を有するものであるが、アタッチメント部材において第１の貫通孔が形成される側の端部に、厚肉部が形成される点が異なっている。
ここでは、実施例４に係る根掛かり防止装置１ａとの相違点に重点をおいて説明する。
図７（ａ）は本発明の実施例５に係る根掛かり防止装置の平面図である。（ｂ）はその側面図である。（ｃ）は図７（ａ）中のＡ2−Ａ2線矢視断面に釣糸と松葉サルカンを加えた概念図である。（ｄ）は図７（ａ）中のＢ2−Ｂ2線矢視断面図である。（ｅ）は図７（ｂ）中のＭ−Ｍ線矢視断面図である。なお、図６に記載されたものと同一部分については同一符号を付し、その構成についての説明は省略する。
図７（ａ），（ｂ）に示すように、実施例５に係る根掛かり防止装置１ｂは、アタッチメント部材２の第１の貫通孔３ａが形成される側の端部２ｄに、つまり、糸１０が引き上げられる側のアタッチメント部材２の端部２ｄに、その胴部の厚みよりも太い径を有する厚肉部１３を備えたものである。
すなわち、図７（ｄ），（ｅ）に示すように、実施例５に係る根掛かり防止装置１ｂにおいて、アタッチメント部材２における厚肉部１３の厚みＰは、その胴部の厚みＮよりも大きく設定されている。
【００６１】
このように、アタッチメント部材２の長手方向の端部に厚肉部１３を形成することで、実施例５に係る根掛かり防止装置１ｂの厚肉部１３近傍における表面積を大きくすることができるという効果を有する。
この場合、実施例５に係る糸と環状具の連結構造１２ｂが、水中で障害物の隙間に挟まって根掛かりした場合に、糸１０に引張力を作用させることで根掛かり防止装置１ｂに係る厚肉部１３の表面を障害物の表面に接触させて、この接触部分を支点にして糸と環状具の連結構造１２ｂを岩場の表面から引き離す方向に反転させることができるという効果を有する。
この結果、松葉サルカン５の環状体９に直接又は間接的に連結される部材又は道具である例えば、釣りの仕掛等を水中の障害物から引き離すことができ、糸１０に接続される部材又は道具の回収率を高めることができるという効果を有する。
なお、肉厚部１３は、実施例１〜３に記載の根掛かり防止装置２８ａ〜２８ｃのそれぞれや、以下に示す実施例６や実施例７に係る根掛かり防止装置に設けてもよい。この場合、それぞれの実施例に係る根掛かり防止装置の作用・効果に加え、実施例５に係る根掛かり防止装置１ｂと同様の作用・効果を有する。
【実施例６】
【００６２】
実施例６に係る根掛かり防止装置及びそれを用いた糸と環状具の連結構造について図８を参照しながら詳細に説明する。（特に請求項４，請求項９，請求項１０に対応。）
実施例６に係る根掛かり防止装置は、実施例４に係る根掛かり防止装置１ａとほぼ同じ構成を有するものであるが、その胴部にアタッチメント部材の軸方向と略平行に形成される長孔を備えたものである。
図８（ａ）は本発明の実施例６に係る根掛かり防止装置の平面図である。（ｂ）はその側面図である。（ｃ）は図８（ａ）中のＡ3−Ａ3線矢視断面に釣糸と松葉サルカンを加えた概念図である。（ｄ）は図８（ａ）中のＢ3−Ｂ3線矢視断面図である。なお、図１乃至図７に記載されたものと同一部分については同一符号を付し、その構成についての説明は省略する。
図８（ａ）〜（ｄ）に示すように、実施例６に係る根掛かり防止装置１ｃは、アタッチメント部材２の胴部を貫通し、かつ、アタッチメント部材２の中心軸と略平行に形成される長孔１４を備えている。
実施例６に係る根掛かり防止装置１ｃにおいては、図８（ｃ）に示すように、アタッチメント部材２の胴部に長孔１４を形成することで、例えば、松葉サルカン５を介して糸１０と連結糸１１とを連結した場合に、松葉サルカン５の環状具６を、アタッチメント部材２の上面２ａに対して垂直（略垂直の概念も含む。）にした状態で長孔１４の内部に収容することができるという効果を有する。
つまり、図８（ｃ）に示すような、糸と環状具の連結構造１２ｃを形成した場合に、松葉サルカン５の環状具６がアタッチメント部材２の側面２ｂからはみ出すことなく保持することができるという効果を有する。
この結果、実施例６に係る糸と環状具の連結構造１２ｃにおいて、環状具６がアタッチメント部材２の側面２ｂからはみ出して水中の障害物に接触して絡まるなどして根掛かりの原因となるのを防止することができる。
従って、実施例６に係る根掛かり防止装置１ｃによれば、その上面２ａ側に収容される環状具６の直径が大きい場合でも、糸１０と環状具６の連結部分が根掛かりするのを確実に防止することができるという効果を有する。
【００６３】
なお、実施例６にかかる糸と環状具の連結構造１２ｃにおける松葉サルカン５は、先の図１に示すような環状具３０や環状具を備えた部材又は道具に置き換えてもよい。
この場合も長孔１４に環状具３０や、部材や道具に形成される環状具、あるいは、環状具を備えた部材や道具自体を収容することができる。この結果、糸１０に直接又は間接的に接続される部材や道具の回収率を向上させることができる。
また、実施例６に係る根掛かり防止装置１ｃにおいて、長孔１４に松葉サルカン５の環状具６、又は、環状具３０、又は、部材や道具に形成される環状具、又は、環状具を備えた部材や道具自体を確実に収容させるために、長孔１４の直径Ｄは松葉サルカン５の環状具６の長径Ｅよりも、あるいは、図示しない環状具３０、又は、部材や道具に形成される環状具、又は、環状具を備えた部材や道具自体よりも大きく設定しておくことが望ましい。
ただし、環状具を備えた部材や道具の一部を長孔１４内に収容することで、アタッチメント部材２の湾曲内側に環状具を備えた部材や道具を収容できる場合もある。
【００６４】
また、特に実施例６に係る根掛かり防止装置１ｃのアタッチメント部材２を合成樹脂等で形成した場合、アタッチメント部材２に長孔１４を形成することで、アタッチメント部材２の弾性を向上させることができるという効果を有する。
この結果、アタッチメント部材２の反発力による根掛かり解除効果を向上させるという効果を有する。なお、実施例６に係る根掛かり防止装置１ｃ及びそれを用いた糸と環状具の連結構造１２ｃがアタッチメント部材２の弾性力により根掛かり解除される仕組みについては後述する。
なお、長孔１４は、上述の実施例１〜５に記載の根掛かり防止装置２８ａ〜２８ｃ，１ａ，１ｂのそれぞれや、以下に示す実施例７係る根掛かり防止装置に設けてもよい。この場合、それぞれの実施例に係る根掛かり防止装置の作用・効果に加え、実施例６に係る根掛かり防止装置１ｃと同様の作用・効果を有する。
【実施例７】
【００６５】
実施例７に係る根掛かり防止装置及びそれを用いた糸と環状具の連結構造について図９を参照しながら詳細に説明する。（特に請求項７，請求項９，請求項１０に対応。）
実施例７に係る根掛かり防止装置は、実施例４に係る根掛かり防止装置１ａと同様の構成を有するものであるが、第１の貫通孔とアタッチメント部材の側面とを結ぶスリットが、アタッチメント部材の長手方向と略平行に形成されたものである。
図９（ａ）は本発明の実施例７に係る根掛かり防止装置の平面図である。（ｂ）はその側面図である。（ｃ）は図９（ａ）中のＡ4−Ａ4線矢視断面に釣糸と松葉サルカンを加えた概念図である。（ｄ）は図９（ａ）中のＢ4−Ｂ4線矢視断面図である。なお、図１乃至図８に記載されたものと同一部分については同一符号を付し、その構成についての説明は省略する。
図９（ａ）〜（ｄ）に示すように、実施例７に係る根掛かり防止装置１ｄは、実施例４に係る根掛かり防止装置１ａと同様の構成に加え、特に、スリット４ａがアタッチメント部材２の第１の貫通孔３ａが配置される側の端部２ｄに向って形成されたものである。
【００６６】
なお、図９（ａ）〜（ｄ）には、スリット４ａのみをアタッチメント部材２の長手方向と平行（略平行の概念を含む）に形成した場合を例に挙げて説明しているが、スリット４ｂについてもアタッチメント部材２の長手方向と平行に形成してもよい。すなわち、スリット４ｂをアタッチメント部材２の第２の貫通孔３ｂが配置される側の端部２ｄに向って形成してもよい。
この場合、より細い糸１０を用いて実施例７に係る糸と環状具の連結構造１２ｄを形成した場合であっても、実施例７に係る糸と環状具の連結構造１２ｄの使用時に、糸１０を第１の貫通孔３ａからが外れ難くすることができるという効果を有する。
この結果、実施例７に係る根掛かり防止装置１ｄを根掛かり防止用の装置として確実に機能させることができ、糸１０に接続される部材や道具の回収率を高めることができるという効果を有する。
なお、上述の実施例４〜６に記載の根掛かり防止装置１ａ〜１ｃにおけるスリット４ａ、又は、スリット４ａ及びスリット４ｂをアタッチメント部材２の長手方向と平行に形成してもよい。この場合、それぞれの実施例に係る根掛かり防止装置の作用・効果に加え、実施例７に係る根掛かり防止装置１ｄと同様の作用・効果を有する。
【００６７】
なお、上述の実施例１〜４に記載される根掛かり防止装置２８ａ〜２８ｃ，１ｃに、実施例５〜７に記載される根掛かり防止装置１ｂ〜１ｄの特徴的な技術内容、すなわち、１）アタッチメント部材２の第１の貫通孔３ａが形成される側の端部２ｄに肉厚部１３を有する、２）アタッチメント部材２の胴部に長孔１４を有する、３）スリット４ａがアタッチメント部材２の第１の貫通孔３ａが配置される側の端部２ｄに向って形成される、のうち少なくとも２つの技術内容を同時に備えた根掛かり防止装置及び糸と環状具の連結構造としてもよい。（ただし、実施例１又は３のようにスリット４ａを備えない場合には、実施例７の特徴的な技術内容を備えることはできない。）
この場合、上述の実施例１〜４に記載のそれぞれの根掛かり防止装置又は糸と環状具の連結構造の作用・効果に、上記１）〜３）に記載される特徴的な構成による作用・効果を組み合せた作用・効果を有する根掛かり防止装置及び糸と環状具の連結構造を提供することができる。
【００６８】
次に、実施例１〜７に係る根掛かり防止装置２８ａ〜２８ｃ，１ａ〜１ｄに共通する技術内容について図１０〜図１５を参照しながら詳細に説明する。
実施例１〜７に係る根掛かり防止装置２８ａ〜２８ｃ，１ａ〜１ｄのアタッチメント部材２を合成樹脂等の弾性体により形成しかつ糸１０と松葉サルカン５の連結部分に装着した場合（ケースI）、又は、アタッチメント部材２を合成樹脂等の弾性体により形成しかつ図３に示すように環状具の直前に実施例１〜７に係る根掛かり防止装置２８ａ〜２８ｃ，１ａ〜１ｄを装着した場合（ケースII）、アタッチメント部材２の弾性力を利用して根掛かりを解除することができるという効果を有する。
図１０は本発明の実施例７に係る糸と環状具の連結構造の一例を示す斜視図である。なお、図１乃至図９に記載されたものと同一部分については同一符号を付し、その構成についての説明は省略する。
また、図１０には、本発明に係る根掛かり防止装置の装着例として、実施例７に係る根掛かり防止装置１ｄを用い、アタッチメント部材２の湾曲内側に糸１０と環状具６の連結部分を収容しながら根掛かり防止装置１ｄを装着した場合を例に挙げて図示しているが、実施例１〜６に係る根掛かり防止装置２８ａ〜２８ｃ，１ａ〜１ｃに係るアタッチメント部材２の湾曲内側に糸１０と環状具６の結び目を収容しながら装着した場合の外観も図１０に示すものとほぼ同じである。また、実施例３〜６に係る根掛かり防止装置２８ｃ，１ａ〜１ｃを、糸１０と松葉サルカン５の連結部分の直前に装着した場合の外観も、図１０に示すものとほぼ同じである。
【００６９】
特に、上述のケースＩの場合に、アタッチメント部材２の弾性力を利用した根掛かり防止効果が確実に発揮されるためには、実施例４〜７に係る根掛かり防止装置１ａ〜１ｄのそれぞれは以下に示すような構成を備えていることが望ましい。
図１１は、実施例６に係る糸と環状具の連結構造が根掛かりしている様子を示す断面図である。なお、図１乃至図１０に記載されたものと同一部分については同一符号を付し、その構成についての説明は省略する。ここでは、本発明に係る糸と環状具の連結構造のそれぞれの構成要素の形状や位置関係が理解され易いよう、実施例６に係る糸と環状具の連結構造１２ｃが根掛かりした場合を例に挙げて説明している。
例えば、釣りの最中に、松葉サルカン５の環状具６及びそれに緊縛される糸１０の結び目２１が海底の岩間に入り込むのを防止するためには、図１１に示すように、実施例３〜７に係る根掛かり防止装置２８ｃ，１ａ〜１ｄにおける第１の貫通孔３ａの湾曲内側の開口２２から第２の貫通孔３ｂの湾曲外側の開口２３までの距離Ｆが、松葉サルカン５の軸７の長さＧと、環状具６の長径Ｈと、それに緊縛される糸１０の結び目２１の長さＩの合計よりも大きく設定される必要がある。
【００７０】
なお、図１１には、環状具６の平面形状が略三角形状である場合を例に挙げて説明しているが、環状具６は例えば楕円形やその他の形状であっても良い。すなわち、環状具６に軸７をその中心軸を基軸に回転可能に設けることができるのであれば環状具６の平面形状は問題としない。
つまり、図１１に示すそれぞれの構成をＦ＜（Ｇ＋Ｈ＋Ｉ）とした場合には、糸１０に引張力が作用して、環状体９と岩場２０の間に根掛かり防止装置１ｃが挟まれた状態で保持され、その後、根掛かり防止装置１ｃが２つ折状に押縮められた際に、つまり、アタッチメント部材２の両端部２ｄ，２ｄの間隔が押し縮められるように力が作用した場合に、第１の貫通孔３ａの湾曲外側の開口２４から糸１０の結び目２１が導出されてしまう恐れがある。
そして、このとき、糸１０の結び目２１が岩場２０の隙間に挟まってしまった場合には、根掛かり防止装置１ｃを装着しているにもかかわらず糸と環状具の連結構造１２ｃが根掛かりしてしまう。
よって、実施例４〜７に係る根掛かり防止装置１ａ〜１ｄにおける第１の貫通孔３ａの湾曲内側の開口２２から第２の貫通孔３ｂの湾曲外側の開口２３までの距離Ｆは、軸７の長さＧと、環状具６の長径Ｈと、それに緊縛される糸１０の結び目２１の長さＩの合計よりも大きく設定する必ことが望ましいのである。
【００７１】
ここで、本発明に係る根掛かり防止装置を装着した糸と環状具の連結構造が海底の岩場における根掛かりから開放される仕組みについて図１２乃至図１５を参照しながら詳細に説明する。
本発明に係る糸と環状具の連結構造が根掛かりした場合、その状態は概ね以下に示すような３種類に大別することができる。
図１２（ａ）〜（ｃ）はいずれも本発明に係る糸と環状具の連結構造が根掛かりしている状態を示す概念図である。なお、図１乃至図１１に記載されたものと同一部分については同一符号を付し、その構成についての説明は省略する。また、図１２においては、本発明に係る根掛かり防止装置の一例として、実施例４に係る根掛かり防止装置１ａを装着した場合を例に挙げて説明している。
本発明に係る糸と環状具の連結構造１２ａが岩場２０の隙間に根掛かりする場合、図１２（ａ）に示すように、アタッチメント部材２の底面２ｃが岩場２０の表面に接触した状態となる場合（タイプ１）と、図１２（ｂ）に示すように、アタッチメント部材２の側面２ｂが岩場２０の表面に接触した状態となる場合（タイプ２）と、図１２（ｃ）に示すように、曲面が形成されるアタッチメント部材２の長手方向の先端部分が岩場２０の表面に接触した状態となる場合（タイプ３）の３種類が考えられる。
しかしながら、図１２（ｂ）に示すタイプ２の場合、図示しない釣竿を煽って糸１０を引き上げることで、糸と環状具の連結構造１２ａは図１２（ａ）に示すタイプ１の状態になるので、実質的に根掛かりの状態はタイプ１とタイプ３の２種類であると言える。
【００７２】
ここで、タイプ１及びタイプ３の根掛かりの状態から本発明に係る糸と環状具の連結構造が開放される仕組みについて図１３乃至図１５を参照しながら詳細に説明する。
まず、タイプ１の場合について図１３を参照しながら詳細に説明する。
図１３（ａ）〜（ｃ）はいずれも本発明に係る根掛かり防止装置を用いた糸と環状具の連結構造が根掛かりから開放される様子を示す概念図である。なお、図１乃至図１２に記載されたものと同一部分については同一符号を付し、その構成についての説明は省略する。
なお、図１３及び、以下に示す図１４,１２においては、実施例４〜実施例６に係る根掛かり防止装置１ａ〜１ｃの特徴を全て備えた根掛かり防止装置１ｅを装着した糸と環状具の連結構造１２ｅを用いた場合を例に挙げて説明する。
【００７３】
図１３（ａ）に示すように、糸と環状具の連結構造１２ｆは岩場２０の隙間に糸１０が挟まった状態で根掛かりしている。
この状態で、図示しない釣竿をあおって糸１０を引き上げるような引張力Ｋを作用させると、根掛かり防止装置１ｅが岩場２０と松葉サルカン５の環状体９の間に挟まれた状態で保持される。
そして、この状態でさらに図示しない釣竿をあおって糸１０に引張力を作用させると、アタッチメント部材２にこれを斜め上方に引き上げるような力が、すなわち図中の符号Ｋで示す方向に力が作用する。
この時、アタッチメント部材２の底面２ｃから側面２ｂには、連続的に滑らかな曲面が形成されているので、根掛かり防止装置１ｅはその湾曲部内側に環状具６及び糸１０の結び目２１を収容したまま岩場２０の表面をその隙間に沿ってスムースにスライドすることで根掛かりが解除されるのである。
さらに、この時、岩場２０の表面と松葉サルカン５の環状体９の間に挟まれるアタッチメント部材２には、アタッチメント部材２の長手方向両端からアタッチメント部材２を２つ折にするような力が、すなわち、図中の符号Ｊ，Ｊで示す方向にアタッチメント部材２を二つ折に押し縮めるような力が作用することでアタッチメント部材２が弾性収縮する。
【００７４】
このとき、引張力は、環状具６に緊縛される糸１０の結び目２１ではなく、松葉サルカン５の軸７の端部に形成される環状体９からアタッチメント部材２へと伝達されるので、糸１０の結び目２１に過大な負荷がかかるのを防止することができるのである。
しかも、通常松葉サルカン５の軸７及び環状体９は金属製であり、大きな負荷に対して十分な耐久性を有している。このため、本発明に係る糸と環状具の連結構造１２ｅは、このような松葉サルカン５の構造的な特徴に注目し、根掛かり防止装置１ｅの第２の貫通孔３ｂに軸７を挿通してアタッチメント部材２と環状体９を接触させることで、糸１０の結び目２１に過剰な負荷がかかるのを回避しているのである。
【００７５】
そして、図示しない釣竿をさらにあおり続けた場合に、図１３（ｂ），（ｃ）に示すように、糸１０を引き上げるような引張力が緩んだ瞬間に、アタッチメント部材２が弾性伸長して（反発して）、その衝撃によっても糸と環状具の連結構造１２ｅを岩場２０から引き離すことができるのである。
この結果、本発明に係る糸と環状具の連結構造１２ｅが根掛かりから開放されるのである。
従って、糸１０の端部に松葉サルカン５を介して直接又は間接的に連結される連結糸１１の回収率を大幅に向上させることができるという効果を有する。
なお、例えば図３に示されるような、環状具３０の直前に根掛かり防止装置１ｅを装着した場合は、糸１０に作用する引張力を利用して、岩場２０と環状具３０によりアタッチメント部材２を二つ折にするように弾性収縮させることができるので、やはり図１３に示す場合と同様の作用・効果を発揮させることができる。
【００７６】
次にタイプ２の場合について図１４及び図１５を参照しながら詳細に説明する。
図１４は（ａ）〜（ｃ）はいずれも本発明に係る根掛かり防止装置を用いた糸と環状具の連結構造が根掛かりから開放される様子を示す概念図であり、図１５は図１４（ａ）中の符号Ｍで示す方向から視た矢視図である。なお、図１乃至図１３に記載されたものと同一部分については同一符号を付し、その構成についての説明は省略する。
図１４（ａ）に示すように、本発明に係る糸と環状具の連結構造１２ｅは岩場２０の突起部分に引っ掛かった状態で根掛かりしている。
また、図１５に示すように、本発明に係る根掛かり防止装置１ｅは、断面略Ｖ字型の岩場２０の隙間に挟まった状態になっている。
このとき、根掛かり防止装置１ｅの厚肉部１３の先端（端部２ｄ）は岩場２０の表面に接触しており、この状態で、図示しない釣竿をあおって糸１０を引き上げるような引張力Ｋを作用させると、根掛かり防止装置１ｅは、厚肉部１３の先端と岩場２０の接触点２５を支点にして、符号Ｌで示す方向に反転させることができる、すなわち、図１４（ｂ）に示すように岩場２０の表面から根掛かり防止装置１ｅを引き離す方向に反転させることができる。
【００７７】
なお、この場合、仮にスリット４ａをアタッチメント部材２の端部２ｄに向って形成した場合であっても、引張力Ｋは接触点２５に作用するので、第１の貫通孔３ａに挿通される糸１０がスリット４ａから外れることはない。
さらに、糸と環状具の連結構造１２ｅに糸１０により引張力を作用させた場合、上述の図１３（ａ）において説明した原理と同様の原理により、岩場２０と松葉サルカン５の環状体９の間に挟まれた状態で保持される根掛かり防止装置１ｅが弾性収縮し、糸１０に作用する引張力Ｋが緩んだ瞬間にアタッチメント部材２が弾性伸長（反発）して、その衝撃によっても糸と環状具の連結構造１２ｅが岩場２０の突起部分から引き離すことができる。
この結果、図１４（ｃ）に示すように、糸と環状具の連結構造１２ｅの根掛かりを解除することができるので、やはり松葉サルカン５に連結される連結糸１１の回収率を大幅に向上させることができるのである。
なお、例えば図３に示されるような、環状具３０の直前に根掛かり防止装置１ｅを装着した場合も、糸１０に作用する引張力を利用して、岩場２０と環状具３０によりアタッチメント部材２を二つ折にするように弾性収縮させることができるので、やはり図１３に示す場合と同様の作用・効果を発揮させることができる。
【００７８】
本発明に係る全てのタイプの根掛かり防止装置に共通の変形例について図６を参照しながら説明する。
本発明に係る全てのタイプの根掛かり防止装置は、アタッチメント部材２の幅Ｑ（図６（ａ）を参照）を第２の貫通孔３ｂがある端部２ｄに向うにつれ細く、かつ、その厚みＮ（図６（ｄ）を参照）を第２の貫通孔３ｂがある端部２ｄに向うにつれ薄く構成してもよい。
この場合、岩場２０の隙間に上記の根掛かり防止装置が侵入した際に、根掛かり防止装置を岩間からスムースにすり抜けさせるという効果を有する。
よって、本発明に係る全てのタイプの根掛かり防止装置及び、これを備えた糸と環状具の連結構造によれば、仕掛けの根掛かり防止効果を一層向上させることができる。
【００７９】
ここで、実施例３〜６に係る根掛かり防止装置２８ｃ，１ａ，１ｂのアタッチメント部材２に形成されるスリット４ａの最適な位置について検討する。
先にも述べたように、本発明に係る根掛かり防止装置を装着した糸と環状具の連結構造が根掛かりした際の状態はタイプ１〜３の３種類に分類される。
そこで、それぞれの場合について、アタッチメント部材２に形成されるスリット４ａを、図６に示すようにアタッチメント部材２の長手方向と略直交する位置に設けた時と、図９に示すようにアタッチメント部材２の長手方向と平行にスリット４ａを設けた時の糸１０の外れ易さを検証し、その結果を以下に示す表１に示した。
なお、アタッチメント部材２に形成されるスリット４ａから糸１０が外れる可能性がほぼゼロである状態を○、場合によってはスリット４ａから糸１０が外れる可能性がある状態を△で示した。
【００８０】
【表１】
2009171950.tif 000003
【００８１】
上記表１に示すように、実施例４に係る根掛かり防止装置１ａにおいて、アタッチメント部材２にスリット４ａを、アタッチメント部材２の長手方向と略垂直に形成すると、アタッチメント部材２の側面２ｂと岩場２０の表面が接触した状態で根掛かりした際に（タイプ２）に、糸１０が細いとスリット４ａから糸１０が外れる可能性が僅かながらある。この場合、糸１０を太くすることで、スリット４ａから糸１０が外れるのを防止することが可能である。より具体的には、例えば釣りをする場合、３号の糸１０を用いる代わりに、１０号の糸１０を用いることで、スリット４ａから糸１０が外れるのを防止することができる。
よって、実施例３〜６に係る根掛かり防止装置２８ｃ，１ａ，１ｂにおいて、スリット４ａの最適な位置は、アタッチメント部材２の長手方向と略平行であると言える。
【００８２】
なお、本発明に係る糸と環状具の連結構造を適用可能な仕掛としては、すなわち、松葉サルカン５の環状体９、又は、環状具３０、又は、環状体を備えた道具、又は部材、に直接又は間接的に連結される釣用の仕掛としては、オモリ付の釣り用テンビン類、アミカゴ類、ブラクリ、ルアー等がある。
さらに、糸１０の複数個所のそれぞれに釣用の仕掛を連結する場合、その連結部分のそれぞれに本発明に係る根掛かり防止装置を装着しても良い。
この場合、それぞれの仕掛けの回収率を向上させることができるという効果を有する。
また、本発明に係る根掛かり防止装置は、糸１０と他の糸の連結部分に装着することでこれらの連結部分が海底の岩間に挟まる可能性を低減することができるという効果を有する。
なお、この場合、糸１０と他の糸の連結部分である結び目や、連結具の直径が第１の貫通孔３ａ及び第２の貫通孔３ｂの直径よりも大きくしておく必要がある。
【００８３】
さらに、アタッチメント部材２が合成樹脂等の弾性体で形成された根掛かり防止装置は、根掛かりした場合に、その弾性力及び反発力を発揮して根掛かりの解除に寄与する一方で、アタッチメント部材２にその強度を超えた負荷が加わった際には、アタッチメント部材２自体が破損してその衝撃により根掛かりを解除することもできる。
この場合、海底には破損した根掛かり防止装置の破片が水中に残されてしまうが、例えば釣りをする場合、錘１７を含む釣り用テンビン１６等の仕掛が海底に遺棄される場合に比べて、環境への負荷を大幅に小さくすることができるという効果を有する。
さらに、本発明に係る根掛かり防止装置を例えば、生分解性プラスチックにより形成した場合には、根掛かり防止装置が万一破損した場合の環境への負荷を最小限度にすることができる。
従って、本発明に係る根掛かり防止装置を装着しない場合、例えば、図２１,２２に示すような場合、釣りの最中に根掛かりした際に釣り用テンビン１６等の仕掛を回収することのできる確率はほぼ０％である。これに対し、本発明に係る根掛かり防止装置を用いた糸と環状具の連結構造によれば、糸１０に連結される部材や道具の回収率を概ね８０％以上にすることができる。
【実施例８】
【００８４】
以下に本発明の実施例８に係る糸と環状具の連結構造について図１６を参照しながら詳細に説明する。（特に請求項１１に対応。）
図１６は本発明の実施例８に係る糸と環状具の連結構造の一例を示す斜視図である。なお、図１乃至１５に記載されたものと同一部分については同一符号を付し、その構成についての説明は省略する。また、図１６においては、図１に示す根掛かり防止装置２８ａを用いた場合を例に挙げて説明しているが、これ以外にも、実施例２〜７に記載の根掛かり防止装置、あるいは、実施例２〜７の根掛かり防止装置の特徴的な構成を複数組み合わせた根掛かり防止装置を用いることも可能である。
図１６に示すように、実施例８に係る糸と環状具の連結構造１２ｆは、糸１０に環状具３０を介して連結糸１１を接続したものに、例えば、実施例１に係る根掛かり防止装置２８ａを装着し、糸１０と連結糸１１に引張力を作用させて水平（略水平の概念も含む）にした場合に、アタッチメント部材２の湾曲する底面２ｃが鉛直上向き（図１６中の符号Ｕで示す方向）に、アタッチメント部材２の両端部２ｄ，２ｄが鉛直下向き（図１６中の符号Ｒで示す方向）になるよう構成したものである。
【００８５】
言い換えると、実施例８に係る糸と環状具の連結構造１２ｆにおいては、実施例１に係る根掛かり防止装置２８ａにおいて第１の貫通孔３ａと第２の貫通孔３ｂを結んで中心線を形成した場合（この場合、中心線は貫通孔３ａや第２の貫通孔３ｂと同じ直径を有する。）に、その重心がこの中心線を越えてアタッチメント部材２の両端部２ｄ，２ｄ側にくるように構成したものである。
より具体的には、たとえば、実施例１に係る根掛かり防止装置２８ａを糸１０に環状具３０を介して連結糸１１を接続したものに装着した場合に、アタッチメント部材２の上面２ａの最も凹んだ場所から糸１０又は連結糸１１までの最短距離が小さくなるように第１の貫通孔３ａと第２の貫通孔３ｂを形成すればよい。
【００８６】
実施例８に係る糸と環状具の連結構造１２ｆを用いた場合、先に述べた図１２（ｃ）に示すタイプ３の状態で常に（「略常に」の概念を含む。）根掛かりが起こり、図１４（ａ）〜（ｃ）に示す手順で根掛かりが解除される。
このとき、糸１０に直接又は間接的に接続される道具又は部材が、障害物である岩場２０から引き離されるように回動運動することで、根掛かりが解除される確率を高めることができる。
この結果、糸１０に直接又は間接的に接続される道具又は部材の回収率を高めることができるという効果を有する。
【００８７】
なお、実施例８に係る糸と環状具の連結構造１２ｆにおいては、糸１０が引き上げられる側に配されるアタッチメント部材２端部２ｄから第１の貫通孔３ａまでの距離Ｓを、もう一方の端部２ｄから第２の貫通孔３ｂまでの距離Ｔよりも大きくすることで、アタッチメント部材２を障害物の隙間に一層入り難くすることができるという効果を有する。
また、図１６ではアタッチメント部材２の湾曲内側に環状具３０とそれに緊縛される糸１０の結び目１０ａを収容する場合を例に挙げて説明しているが、例えば、図３に示すように、アタッチメント部材２の第２の貫通孔３ｂの外側に環状具３０を配置してもよい。
すなわち、環状具３０と糸１０の結び目１０ａから形成される連結部分において糸１０が引き上げられる側にアタッチメント部材２を配置してもよい。
この場合も、糸１０に直接又は間接的に接続される道具又は部材の回収率を向上させるという効果を有する。
【００８８】
ここで、図１７及び図１８を参照しながら実施例１に係る糸と環状具の連結構造１２ａの変形例について説明する。
図１７は本発明の実施例１に係る糸と環状具の連結構造の変形例１を示す斜視図であり、図１８は本発明の実施例１に係る糸と環状具の連結構造の変形例２を示す斜視図である。なお、図１乃至図１６に記載されたものと同一部分については同一符号を付し、その構成についての説明は省略する。
実施例１に係る糸と環状具の連結構造２９ａ1は、図１７に示すような形態としてもよい。すなわち、実施例１に係る根掛かり防止装置２８ａの湾曲内側に、環状具３０と隣り合うように、例えば、オモリ３１を収容してもよい。
この場合、オモリ３１は第１の貫通孔３ａ側に配置しても、第２の貫通孔３ｂ側に配置してもよい。
このような変形例１に係る糸と環状具の連結構造によれば、オモリ３１が水中の障害物の隙間に入り込んで根掛かりするのを防止することができるという効果を有する。
【００８９】
また、実施例１に係る糸と環状具の連結構造２９ａ2は、図１８に示すような形態としてもよい。すなわち、実施例１に係る根掛かり防止装置２８ａ2の第２の貫通孔３ｂとその外側に配置される環状具３０の間に例えば、オモリ３１を配置してもよい。
このような変形例２に係る糸と環状具の連結構造によれば、オモリ３１が水中の障害物の隙間に入り込んで根掛かりするのを防止することができるという効果を有する。
なお、図１７，１８においては、実施例１に係る根掛かり防止装置２８ａを用いた場合を例に挙げて説明しているが、実施例１に係る根掛かり防止装置２８ａに代えて、実施例２〜７に係る根掛かり防止装置や、実施例１〜７に係る根掛かり防止装置を特徴付ける構成を様々に組み合わせた根掛かり防止装置を用いてもよい。
いずれの場合も、図１７，１８に示す糸と環状具の連結構造と同様の作用・効果を有する。
【実施例９】
【００９０】
図１９を参照しながら本発明の実施例９に係る根掛かり防止装置について詳細に説明する。（特に請求項１２に対応。）
図１９は本発明の実施例９に係る根掛かり防止装置の側面図である。なお、図１乃至図１８に記載されたものと同一部分については同一符号を付し、その構成についての説明は省略する。
図１９に示すように、本発明の実施例９に係る根掛かり防止装置３２は、Ｃ字形（略Ｃ字形の概念も含む。）に湾曲したアタッチメント部材２の長手方向の端部２ｄ1近傍にアタッチメント部材２の厚み部分を貫通する貫通孔３８を形成し、他の端部２ｄ2の先端に疑似餌３３（ルアー）を取設し、さらに、この疑似餌３３においてアタッチメント部材２が接続される側の端部３４ａに環状具３５を設けたものである。
また、実施例９に係る根掛かり防止装置３２においては、疑似餌３３の胴部や他の端部３４ｂに環状具３６が設けられており、それぞれに鉤３７が取り付けられている。
【００９１】
このような、実施例９に係る根掛かり防止装置３２を使用する際には、アタッチメント部材２の側面２ｂ側から貫通孔３８に糸１０を挿通してアタッチメント部材２の湾曲内側（上面２ａ側）に導出させ、同じくアタッチメント部材２の湾曲内側に配置される環状具３５に糸１０の端部を緊縛すればよい。
このような実施例９に係る根掛かり防止装置３２によれば、上述の実施例１に係る根掛かり防止装置２８ａの場合と同様に、環状具３５とそれに緊縛される糸１０の結び目１０ａがアタッチメント部材２の湾曲内側に（上面２ａ側に）収容されることで、これらが水中において障害物の隙間に入り込むのを防止することができる。
また、アタッチメント部材２が厚みを有し、その側面２ｂから底面２ｃが滑らかな曲面状に形成されることで、アタッチメント部材２自体を障害物の隙間に入り込み難くすることができる。
この結果、実施例９に係る根掛かり防止装置３２が根掛かりするのを防止することができ、疑似餌３３の回収率を大幅に向上することができる。
【００９２】
また、上記実施例９に係る根掛かり防止装置３２においては、アタッチメント部材２の端部２ｄ1と貫通孔３８を結ぶように、例えば、図４に示すようなスリット４ａを形成してもよい（図示せず）。この場合、糸１０への根掛かり防止装置３２の装着を容易にすることができるという効果を有する。
また、上記実施例９に係る根掛かり防止装置３２のアタッチメント部材２の端部２ｄ1に、図７に示すような肉厚部１３を形成してもよい（図示せず）。この場合、端部２ｄ1の表面積が大きくなるので、根掛かり防止装置３２の根掛かり解除効果を高めたり、アタッチメント部材２を障害物の隙間に一層入り難くすることができるという効果を有する。
また、上記実施例９に係る根掛かり防止装置３２のアタッチメント部材２の胴部に図３に示すような長孔１４を形成してもよい（図示せず）。このとき、アタッチメント部材２を弾性を有する材料で構成することで、その弾性力を向上することができるという効果を有する。
なお、アタッチメント部材２の端部２ｄ1にスリット４ａと肉厚部１３の両方を形成したり、これらに加えてアタッチメント部材２の胴部に長孔１４を形成してもよい。
この場合、スリット４ａや肉厚部１３、長孔１４を備えることによる有利な効果の同時に発揮させることができる。
【００９３】
また、アタッチメント部材２を弾性を有する材質で構成することで、図１３や図１４に示すような弾性力を利用した根掛かり解除効果を発揮させることができる。この場合、実施例９にかかる根掛かり防止装置３２の回収率を一層向上させることができる。
なお、実施例９に係る根掛かり防止装置３２においては、魚の形を模した疑似餌３３を取り付けた場合を例に挙げて説明しているが、疑似餌３３は必ずしもこの形状である必要はなく、例えばイカ角等を用いることが可能である。
【実施例１０】
【００９４】
図２０を参照しながら本発明の実施例９に係る根掛かり防止装置について詳細に説明する。（特に請求項１３に対応。）
図２０（ａ）本発明の実施例１０に係る根掛かり防止装置の概念図であり、（ｂ）は図２０（ａ）中のＡ7−Ａ7線矢視断面図である。また、（ｃ）は図２０（ｂ）中のＢ7−Ｂ線矢視断面図である。なお、図１乃至図１９に記載されたものと同一部分については同一符号を付し、その構成についての説明は省略する。
図２０（ａ）〜（ｃ）に示すように、実施例１０に係る根掛かり防止装置３９は、その長手方向における断面がＤ字型（略Ｄ字型の概念も含む。）を成すアタッチメント部材４０の一の端部４０ａ1近傍から他の端部４０ａ2近傍に向って直線状の貫通孔が形成されるものである。なお、本願において、断面がＤ字型とは、Ｄの文字の線の部分のみならず、その内部も含めたいわゆるかまぼこ型の意味である。
より具体的には、実施例１０に係る根掛かり防止装置３９は、一対の半月形の側面４０ｂ，４０ｂを有する半月体状のアタッチメント部材４０からなり、その上面４０ｄ（図２０（ａ）〜（ｃ）では紙面下方に配置される面）には平面が、その底面４０ｃ（図２０（ａ）〜（ｃ）では紙面上方に配置される面）にはＣ字型に湾曲する曲面がそれぞれ形成され、その角部は面取りされて滑らかな曲面が形成されるものである。
言い換えると、実施例１０に係る根掛かり防止装置３９は、実施例１に係るアタッチメント部材２の湾曲内側の空間が、アタッチメント部材２を構成する材質で埋められてアタッチメント部材４０を成し、第１の貫通孔３ａと第２の貫通孔３ｂとがつながった１つの貫通孔４１が形成されるものである。
このような実施例１０に係る根掛かり防止装置３９において、アタッチメント部材４０の幅Ｑは、より詳細には、糸１０が引き上げられる側に配置されるアタッチメント部材４０の端部４０ａ1の幅Ｑは、実施例１に記載の根掛かり防止装置２８ａの場合と同様の理由により、貫通孔４１の直径の少なくとも３倍以上であることが望ましい。
【００９５】
このような実施例１０に係る根掛かり防止装置３９は、糸１０の直径に比べて十分な幅を有する塊状であるので、それ自体が水中の障害物の隙間に入り込み難いという作用を有する。
このため、糸１０と環状具３０の連結部分において、環状具３０への糸１０の結び目１０ａの直前に実施例１０に係る根掛かり防止装置３９を配置することで、結び目１０ａや環状具３０が水中の障害物の隙間に侵入して根掛かりが生じるのを防止することができるという効果を有する。
この結果、環状具３０に連結糸１１を介して、あるいは、直接連結される部材や道具を水中で糸１０により操作した際に、その回収率を高めることができるという効果を有する。
また、図２０（ａ），（ｂ）に示すような、糸１０と環状具３０の連結部分に根掛かり防止装置３９を装着したものを実施例１０に係る糸と環状具の連結構造４２とすると、この実施例１０に係る糸と環状具の連結構造４２は、実施例１に係る糸と環状具の連結構造２９ａ2と同様の作用・効果を有する。
【００９６】
さらに、特に実施例１０に係る根掛かり防止装置３９においては、貫通孔４１において糸１０が引き上げられる側に配置される開口４１ａを端部４０ａ1からやや離れた位置に形成することで、根掛かり防止装置３９を装着して糸１０を水平にした場合に、アタッチメント部材４０の端部４０ａ1，４０ａ2が鉛直下方側に向くようにすることができる。
この場合、実施例１０に係る糸と環状具の連結構造４２が根掛かりを起した場合に、実施例８に係る糸と環状具の連結構造１２ｆの場合と同様に、糸１０に直接又は間接的に接続される道具又は部材が、障害物である岩場２０から引き離されるように回動運動する可能性が高まり、根掛かりが解除される確率を高めることができるという効果を有する。
【００９７】
また、実施例１０に係る根掛かり防止装置３９のアタッチメント部材４０を、例えば、鉛やタングステン等の比重の大きな金属で構成した場合、釣具の分野において、根掛かり防止機能とオモリの機能を兼ね備えたものにすることができるという効果を有する。
この場合、Ｃ字形に加工する場合に比べてアタッチメント部材４０の加工が容易になるので、製造にかかるコストを低減することが出来る。
また、根掛かり防止装置がオモリの機能を兼ねることで、釣りをする際に使用する道具の数を少なくすることができるという効果も有する。
【産業上の利用可能性】
【００９８】
本発明に係る根掛かり防止装置及びそれを用いた糸と環状具の連結構造は、糸と環状具の連結部分に装着することで、糸に接続される部材や道具を水上から操作した際の部材や道具の回収率を向上させることができるものであり、釣り具や船舶に関する分野において利用の可能性が高い。
【図面の簡単な説明】
【００９９】
【図１】（ａ）は本発明の実施例１に係る根掛かり防止装置の平面図である。（ｂ）,（ｃ）は図１（ａ）中のＡ5−Ａ5線矢視断面図である。（ｄ）は図１（ａ）中のＢ5−Ｂ5線矢視断面図である。
【図２】本発明の実施例１に係る糸と環状具の連結構造を示す斜視図である。
【図３】本発明の実施例１に係る糸と環状具の連結構造を示す斜視図である。
【図４】本発明の実施例２に係る根掛かり防止装置の平面図である。
【図５】（ａ）は本発明の実施例３に係る根掛かり防止装置の平面図である。（ｂ）はその側面図である。（ｃ）は図５（ａ）中のＡ6−Ａ6線矢視断面図である。
【図６】（ａ）は本発明の実施例４に係る根掛かり防止装置の平面図である。（ｂ）はその側面図である。（ｃ）は図６（ａ）中のＡ1−Ａ1線矢視断面図である。（ｄ）は図６（ａ）中のＢ1−Ｂ1線矢視断面図である。
【図７】（ａ）は本発明の実施例５に係る根掛かり防止装置の平面図である。（ｂ）はその側面図である。（ｃ）は図７（ａ）中のＡ2−Ａ2線矢視断面図である。（ｄ）は図７（ａ）中のＢ2−Ｂ2線矢視断面図である。（ｅ）は図７（ｂ）中のＭ−Ｍ線矢視断面図である。
【図８】（ａ）は本発明の実施例６に係る根掛かり防止装置の平面図である。（ｂ）はその側面図である。（ｃ）は図８（ａ）中のＡ3−Ａ3線矢視断面図である。（ｄ）は図８（ａ）中のＢ3−Ｂ3線矢視断面図である。
【図９】（ａ）は本発明の実施例７に係る根掛かり防止装置の平面図である。（ｂ）はその側面図である。（ｃ）は図９（ａ）中のＡ4−Ａ4線矢視断面図である。（ｄ）は図９（ａ）中のＢ4−Ｂ4線矢視断面図である。
【図１０】本発明の実施例７に係る糸と環状具の連結構造の一例を示す斜視図である。
【図１１】本発明の実施例６に係る糸と環状具の連結構造が根掛かりしている様子を示す断面図である。
【図１２】（ａ）〜（ｃ）はいずれも本発明に係る糸と環状具の連結構造が根掛かりしている状態を示す概念図である。
【図１３】（ａ）〜（ｃ）はいずれも本発明に係る根掛かり防止装置を用いた糸と環状具の連結構造が根掛かりから開放される様子を示す概念図である。
【図１４】（ａ）〜（ｃ）はいずれも本発明に係る根掛かり防止装置を用いた糸と環状具の連結構造が根掛かりから開放される様子を示す概念図である。
【図１５】図１４（ａ）中の符号Ｍで示す方向から視た矢視図である。
【図１６】本発明の実施例８に係る糸と環状具の連結構造の一例を示す斜視図である。
【図１７】本発明の実施例８に係る糸と環状具の連結構造の変形例１を示す斜視図である。
【図１８】本発明の実施例８に係る糸と環状具の連結構造の変形例２を示す斜視図である。
【図１９】本発明の実施例９に係る根掛かり防止装置の側面図である。
【図２０】（ａ）本発明の実施例１０に係る根掛かり防止装置の概念図であり、（ｂ）は図２０（ａ）中のＡ7−Ａ7線矢視断面図である。また、（ｃ）は図２０（ｂ）中のＢ7−Ｂ7線矢視断面図である。
【図２１】糸と環状具の連結部分が根掛かりしている様子を示す概念図である。
【図２２】糸と環状具の連結部分が根掛かりしている様子を示す概念図である。
【符号の説明】
【０１００】
１ａ〜１ｅ…根掛かり防止装置  ２…アタッチメント部材  ２ａ…上面  ２ｂ…側面  ２ｃ…底面  ２ｄ…端部  ３ａ…第１の貫通孔  ３ｂ…第２の貫通孔  ４ａ，４ｂ…スリット  ５…松葉サルカン  ６…環状具  ６ａ…台座  ７…軸  ８…掛着端  ９…環状体  １０…糸（釣糸、紐、ロープ、綱）  １０ａ…結び目  １１…連結糸  １１ａ…結び目  １２ａ〜１２ｆ…糸と環状具の連結構造  １３…肉厚部  １４…長孔  １５…接続具  １６…釣り用テンビン  １７…錘  １８…釣糸  １９…鉤  ２０…岩場  ２１…結び目  ２２〜２４…開口  ２５…接触点  ２６…ヨリモドシ  ２７…環状具  ２８ａ〜２８ｃ…根掛かり防止装置  ２９ａ〜２９ｃ…糸と環状具の連結構造  ３０…環状具  ３１…オモリ  ３２…根掛かり防止装置  ３３…疑似餌  ３４ａ，３４ｂ…端部  ３５…環状具  ３６…環状具  ３７…鉤  ３８…貫通孔  ３９…根掛かり防止装置  ４０…アタッチメント部材  ４０ａ1, ４０ａ2…端部  ４０ｂ…側面  ４０ｃ…底面  ４０ｄ…上面  ４１…貫通孔  ４１ａ,４１ｂ…開口  ４２…糸と環状具の連結構造
【図１】
2009171950.tif 000004
【図２】
2009171950.tif 000005
【図３】
2009171950.tif 000006
【図４】
2009171950.tif 000007
【図５】
2009171950.tif 000008
【図６】
2009171950.tif 000009
【図７】
2009171950.tif 000010
【図８】
2009171950.tif 000011
【図９】
2009171950.tif 000012
【図１０】
2009171950.tif 000013
【図１１】
2009171950.tif 000014
【図１２】
2009171950.tif 000015
【図１３】
2009171950.tif 000016
【図１４】
2009171950.tif 000017
【図１５】
2009171950.tif 000018
【図１６】
2009171950.tif 000019
【図１７】
2009171950.tif 000020
【図１８】
2009171950.tif 000021
【図１９】
2009171950.tif 000022
【図２０】
2009171950.tif 000023
【図２１】
2009171950.tif 000024
【図２２】
2009171950.tif 000025